(57)【要約】  本発明は、ハートビート動作を同期させる方法及び装置を提供する。この方法は、周期リスト及び時間リストを取得するステップと、周期リストに従ってハートビート動作の周期の長さを取得し、時間リストとハートビート周期と予め設定された倍数とに従って同期時間を取得するステップと、同期時間からの周期として、ハートビート動作の周期の長さを使用することにより、少なくとも１つの種類のハートビート動作を同期させるステップとを含む。
2013530647.tif 000002
【特許請求の範囲】
【請求項１】
ハートビート動作を同期させる方法であって、
周期リスト及び時間リストを取得するステップと、
前記周期リストに従って前記ハートビート動作の周期の長さを取得し、前記時間リストとハートビート周期と予め設定された倍数とに従って同期時間を取得するステップと、
前記同期時間からの周期として、前記ハートビート動作の前記周期の長さを使用することにより、少なくとも１つの種類のハートビート動作を同期させるステップと
を有する方法。
【請求項２】
前記周期リストが周期的なロケーションエリアアップデートの周期の長さと、周期的なルーティングエリアアップデートの周期の長さとを有し、前記時間リストが前記周期的なロケーションエリアアップデートのアップデート時間と、前記周期的なルーティングエリアアップデートのアップデート時間とを有する場合、
前記周期リストに従って前記ハートビート動作の周期の長さを取得し、前記時間リストとハートビート周期と予め設定された倍数とに従って同期時間を取得するステップは、
上りリンクハートビート動作の周期の長さとして、前記周期的なロケーションエリアアップデートの前記周期の長さ又は前記周期的なルーティングエリアアップデートの前記周期の長さを設定するステップと、
前記時間リストにおける前記周期的なロケーションエリアアップデートの前記アップデート時間又は前記周期的なルーティングエリアアップデートの前記アップデート時間と、前記ハートビート周期と、前記予め設定された倍数とに従って、前記ハートビート動作の第１の同期時間を取得するステップと
を有し、
前記同期時間からの周期として、前記ハートビート動作の前記周期の長さを使用することにより、少なくとも１つの種類のハートビート動作を同期させるステップは、
前記第１の同期時間からの周期として、前記上りリンクハートビート動作の前記周期の長さを使用することにより、同期してロケーションエリアアップデート及びルーティングエリアアップデートを実行するステップを有し、
前記ロケーションエリアアップデート及び前記ルーティングエリアアップデートのそれぞれは、ハートビート動作の種類である、請求項１に記載のハートビート動作を同期させる方法。
【請求項３】
上りリンクハートビート動作の周期の長さとして、前記周期的なロケーションエリアアップデートの前記周期の長さ又は前記周期的なルーティングエリアアップデートの前記周期の長さを設定するステップは、
音声サービスがデータサービスより高い優先度を有する場合、前記上りリンクハートビート動作の前記周期の長さとして、前記周期的なロケーションエリアアップデートの前記周期の長さを設定するステップと、
前記データサービスが前記音声サービスより高い優先度を有する場合、前記上りリンクハートビート動作の前記周期の長さとして、前記周期的なルーティングエリアアップデートの前記周期の長さを設定するステップと
を有する、請求項２に記載のハートビート動作を同期させる方法。
【請求項４】
前記時間リストと前記ハートビート周期と前記予め設定された倍数とに従って、前記ハートビート動作の第１の同期時間を取得するステップは、
前記ルーティングエリアアップデートの前記アップデート時間が前記ロケーションエリアアップデートの前記アップデート時間より遅い場合、前記時間リストの前記周期的なルーティングエリアアップデートの前記アップデート時間TKRと前記ハートビート周期Tbasicと前記予め設定された倍数Kとに従って、前記ハートビート動作の前記第１の同期時間T1startを取得するために、式T1start=TKR+K*Tbasicを使用するステップと、
前記ロケーションエリアアップデートの前記アップデート時間が前記ルーティングエリアアップデートの前記アップデート時間より遅い場合、前記時間リストの前記周期的なロケーションエリアアップデートの前記アップデート時間TKLと前記ハートビート周期Tbasicと前記予め設定された倍数Kとに従って、前記ハートビート動作の前記第１の同期時間T1startを取得するために、式T1start=TKL+K*Tbasicを使用するステップと
を有し、
Kは1以上の整数である、請求項２又は３に記載のハートビート動作を同期させる方法。
【請求項５】
前記周期リストは、周辺セルリストの各セルのBCCHにアクセスする周期の長さを更に有し、前記時間リストは、前記周辺セルリストの各セルの前記BCCHにアクセスするアップデート時間を更に有し、前記方法は、
前記周期リストと前記予め設定された倍数と前記上りリンクハートビート動作の前記周期の長さとに従って、下りリンクハートビート動作の周期の長さを設定するステップと、
前記時間リストにおける前記周辺セルリストの各セルの前記BCCHにアクセスする前記アップデート時間を問い合わせ、前記周辺セルリストに最後に追加されたセルのBCCHにアクセスするアップデート時間TKnを取得し、前記周辺セルリストに最後に追加された前記セルの前記BCCHにアクセスする前記アップデート時間TKnと前記ハートビート周期Tbasicと前記予め設定された倍数Kとに従って、前記ハートビート動作の第２の同期時間T2startを取得するために、式T2start=TKn+K*Tbasicを使用するステップと、
前記ハートビート動作の前記第２の同期時間からの周期として、前記下りリンクハートビート動作の前記周期の長さを使用することにより、前記周辺セルリストの全てのセルの前記BCCHにアクセスするステップと
を更に有し、
Kは1以上の整数である、請求項４に記載のハートビート動作を同期させる方法。
【請求項６】
前記周期リストと前記予め設定された倍数と前記上りリンクハートビート動作の前記周期の長さとに従って、下りリンクハートビート動作の周期の長さを設定するステップは、
前記周期リストにおける前記周辺セルリストの各セルの前記BCCHにアクセスする前記周期の長さと前記予め設定された倍数Kとに従って、第１の周期の長さTDを取得するために、式TD=K*max(T1,...,Tn)を使用するステップと、
前記上りリンクハートビート動作の前記周期の長さが前記第１の周期の長さ以上である場合、前記下りリンクハートビート動作の前記周期の長さとして、前記第１の周期の長さを設定するステップと、
前記上りリンクハートビート動作の前記周期の長さが前記第１の周期の長さ未満である場合、前記下りリンクハートビート動作の前記周期の長さとして、前記上りリンクハートビート動作の前記周期の長さを設定するステップと
を有し、
T1は第１のセルのBCCHにアクセスする周期の長さを示し、Tnは第nのセルのBCCHにアクセスする周期の長さを示し、nは1以上の整数である、請求項５に記載のハートビート動作を同期させる方法。
【請求項７】
第３の同期時間からの周期として、第２のハートビート動作の周期の長さを使用することにより、同期して前記ロケーションエリアアップデート及び前記ルーティングエリアアップデートを実行し、前記周辺セルリストの全てのセルの前記BCCHにアクセスするステップを更に有し、
前記第１の同期時間が前記第２の同期時間より遅い場合、前記第３の同期時間は前記第１の同期時間であり、或いは、前記第２の同期時間が前記第１の同期時間より遅い場合、前記第３の同期時間は前記第２の同期時間であり、
前記第２のハートビートの前記周期の長さは、前記下りリンクハートビート動作の前記周期の長さのm倍であり、前記下りリンクハートビート動作の前記周期の長さのm倍は、前記上りリンクハートビート動作の前記周期の長さ未満であり、前記下りリンクハートビート動作の前記周期の長さのm+1倍は、前記上りリンクハートビート動作の前記周期の長さより大きく、mは1以上の整数である、請求項６に記載のハートビート動作を同期させる方法。
【請求項８】
前記周期リストが周辺セルリストの各セルのBCCHにアクセスする周期の長さを有し、前記時間リストが前記周辺セルリストの各セルの前記BCCHにアクセスするアップデート時間を有する場合、
前記周期リストに従って前記ハートビート動作の周期の長さを取得し、前記時間リストとハートビート周期と予め設定された倍数とに従って同期時間を取得するステップは、
前記予め設定された倍数Kと、前記周期リストにおける前記周辺セルリストの各セルの前記BCCHにアクセスする前記周期の長さとに従って、第１の周期の長さTDを取得するために、式TD=K*max(T1,...,Tn)を使用し、下りリンクハートビート動作の周期の長さとして前記第１の周期の長さTDを設定するステップと、
前記時間リストにおける前記周辺セルリストの各セルの前記BCCHにアクセスする前記アップデート時間を問い合わせ、前記周辺セルリストに最後に追加されたセルのBCCHにアクセスするアップデート時間TKnを取得し、前記周辺セルリストに最後に追加された前記セルの前記BCCHにアクセスする前記アップデート時間TKnと前記ハートビート周期Tbasicと前記予め設定された倍数Kとに従って、前記ハートビート動作の第２の同期時間T2startを取得するために、式T2start=TKn+K*Tbasicを使用するステップと
を有し、
前記同期時間からの周期として、前記ハートビート動作の前記周期の長さを使用することにより、少なくとも１つの種類のハートビート動作を同期させるステップは、
前記第２の同期時間からの周期として、前記下りリンクハートビート動作の前記周期の長さを使用することにより、前記周辺セルリストの全てのセルのBCCHにアクセスするステップを有し、
Kは1以上の整数であり、T1は第１のセルのBCCHにアクセスする周期の長さを示し、Tnは第nのセルのBCCHにアクセスする周期の長さを示し、nは1以上の整数であり、Kは1以上の整数である、請求項１に記載のハートビート動作を同期させる方法。
【請求項９】
前記周期リストは、周期的なロケーションエリアアップデートの周期の長さと、周期的なルーティングエリアアップデートの周期の長さとを更に有し、前記時間リストは、前記周期的なロケーションエリアアップデートのアップデート時間と、前記周期的なルーティングエリアアップデートのアップデート時間とを更に有し、
前記方法は、
上りリンクハートビート動作の周期の長さとして、前記周期的なロケーションエリアアップデートの前記周期の長さ又は前記周期的なルーティングエリアアップデートの前記周期の長さを設定するステップと、
前記時間リストにおける前記周期的なロケーションエリアアップデートの前記アップデート時間又は前記周期的なルーティングエリアアップデートの前記アップデート時間と、前記ハートビート周期と、前記予め設定された倍数とに従って、前記ハートビート動作の第１の同期時間を取得するステップと、
前記ハートビート動作の前記第１の同期時間からの周期として、前記上りリンクハートビート動作の前記周期の長さを使用することにより、同期してロケーションエリアアップデート及びルーティングエリアアップデートを実行するステップと
を更に有する、請求項８に記載のハートビート動作を同期させる方法。
【請求項１０】
前記時間リストにおける前記周期的なロケーションエリアアップデートの前記アップデート時間又は前記周期的なルーティングエリアアップデートの前記アップデート時間と、前記ハートビート周期と、前記予め設定された倍数とに従って、前記ハートビート動作の第１の同期時間を取得するステップは、
前記ルーティングエリアアップデートの前記アップデート時間が前記ロケーションエリアアップデートの前記アップデート時間より遅い場合、前記時間リストの前記周期的なルーティングエリアアップデートの前記アップデート時間TKRと前記ハートビート周期Tbasicと前記予め設定された倍数Kとに従って、前記ハートビート動作の前記第１の同期時間T1startを取得するために、式T1start=TKR+K*Tbasicを使用するステップと、
前記ロケーションエリアアップデートの前記アップデート時間が前記ルーティングエリアアップデートの前記アップデート時間より遅い場合、前記時間リストの前記周期的なロケーションエリアアップデートの前記アップデート時間TKLと前記ハートビート周期Tbasicと前記予め設定された倍数Kとに従って、前記ハートビート動作の前記第１の同期時間T1startを取得するために、式T1start=TKL+K*Tbasicを使用するステップと
を有し、
Kは1以上の整数である、請求項９に記載のハートビート動作を同期させる方法。
【請求項１１】
前記予め設定された倍数Kと、前記周期リストにおける前記周辺セルリストの各セルの前記BCCHにアクセスする前記周期の長さとに従って、第１の周期の長さTDを取得するために、式TD=K*max(T1,...,Tn)を使用し、下りリンクハートビート動作の周期の長さとして前記第１の周期の長さTDを設定するステップは、
前記周期リストにおける前記周辺セルリストの各セルの前記BCCHにアクセスする前記周期の長さと前記予め設定された倍数Kとに従って、前記第１の周期の長さTDを取得するために、式TD=K*max(T1,...,Tn)を使用するステップと、
前記上りリンクハートビート動作の前記周期の長さが前記第１の周期の長さ以上である場合、前記下りリンクハートビート動作の前記周期の長さとして、前記第１の周期の長さTDを設定するステップと、
を有する、請求項９に記載のハートビート動作を同期させる方法。
【請求項１２】
前記上りリンクハートビート動作の前記周期の長さが前記第１の周期の長さ未満である場合、前記下りリンクハートビート動作の前記周期の長さとして、前記上りリンクハートビート動作の前記周期の長さを設定するステップを更に有する、請求項１１に記載のハートビート動作を同期させる方法。
【請求項１３】
前記上りリンクハートビート動作の前記周期の長さが前記下りリンクハートビート動作の前記周期の長さ以上である場合、第３の同期時間からの周期として、第２のハートビート動作の周期の長さを使用することにより、同期して前記ロケーションエリアアップデート及び前記ルーティングエリアアップデートを実行し、前記周辺セルリストの全てのセルの前記BCCHにアクセスするステップであり、前記第２のハートビートの前記周期の長さは、前記下りリンクハートビート動作の前記周期の長さのm倍であり、前記下りリンクハートビート動作の前記周期の長さのm倍は、前記上りリンクハートビート動作の前記周期の長さ未満であり、前記下りリンクハートビート動作の前記周期の長さのm+1倍は、前記上りリンクハートビート動作の前記周期の長さより大きく、mは1以上の整数であるステップと、
前記上りリンクハートビート動作の前記周期の長さが前記下りリンクハートビート動作の前記周期の長さ未満である場合、前記第３の同期時間からの周期として、前記上りリンクハートビート動作の前記周期の長さを使用することにより、同期して前記ロケーションエリアアップデート及び前記ルーティングエリアアップデートを実行し、前記周辺セルリストの全てのセルの前記BCCHにアクセスするステップと
を更に有し、
第１の同期時間が前記第２の同期時間より遅い場合、前記第３の同期時間は前記第１の同期時間であり、或いは、前記第２の同期時間が前記第１の同期時間より遅い場合、前記第３の同期時間は前記第２の同期時間である、請求項１１又は１２に記載のハートビート動作を同期させる方法。
【請求項１４】
前記周期リストが周期的なロケーションエリアアップデートの周期の長さと、周辺セルリストの各セルのBCCHにアクセスする周期の長さとを有し、前記時間リストが前記周期的なロケーションエリアアップデートのアップデート時間と、前記周辺セルリストの各セルの前記BCCHにアクセスするアップデート時間とを有する場合、
前記周期リストに従って前記ハートビート動作の周期の長さを取得し、前記時間リストとハートビート周期と予め設定された倍数とに従って同期時間を取得するステップは、
上りリンクハートビート動作の周期の長さとして、前記周期的なロケーションエリアアップデートの前記周期の長さを設定するステップと、
前記予め設定された倍数Kと、前記周期リストにおける前記周辺セルリストの各セルの前記BCCHにアクセスする前記周期の長さとに従って、第１の周期の長さTDを取得するために、式TD=K*max(T1,...,Tn)を使用し、下りリンクハートビート動作の周期の長さとして、前記第１の周期の長さTDを設定するステップと、
前記時間リストの前記周期的なロケーションエリアアップデートの前記アップデート時間TKLと前記ハートビート周期Tbasicと前記予め設定された倍数Kとに従って、第１の同期時間T1startを取得するために、式T1start=TKL+K*Tbasicを使用するステップと、
前記時間リストにおける前記周辺セルリストの各セルの前記BCCHにアクセスする前記アップデート時間を問い合わせ、前記周辺セルリストに最後に追加されたセルのBCCHにアクセスするアップデート時間TKnを取得し、前記周辺セルリストに最後に追加された前記セルの前記BCCHにアクセスする前記アップデート時間TKnと前記ハートビート周期Tbasicと前記予め設定された倍数Kとに従って、第２の同期時間T2startを取得するために、式T2start=TKn+K*Tbasicを使用するステップと
を有し、
前記同期時間からの周期として、前記ハートビート動作の前記周期の長さを使用することにより、少なくとも１つの種類のハートビート動作を同期させるステップは、
前記上りリンクハートビート動作の前記周期の長さが前記下りリンクハートビート動作の前記周期の長さ以上である場合、第３の同期時間からの周期として、第２のハートビート動作の周期の長さを使用することにより、同期してロケーションエリアアップデートを実行し、前記周辺セルリストの全てのセルのBCCHにアクセスするステップであり、前記第２のハートビート動作の前記周期の長さは、前記下りリンクハートビート動作の前記周期の長さのm倍であり、前記下りリンクハートビート動作の前記周期の長さのm倍は、前記上りリンクハートビート動作の前記周期の長さ未満であり、前記下りリンクハートビート動作の前記周期の長さのm+1倍は、前記上りリンクハートビート動作の前記周期の長さより大きく、mは1以上の整数であるステップと、
前記上りリンクハートビート動作の前記周期の長さが前記下りリンクハートビート動作の前記周期の長さ未満である場合、前記第３の同期時間からの周期として、前記上りリンクハートビート動作の前記周期の長さを使用することにより、同期して前記ロケーションエリアアップデートを実行し、前記周辺セルリストの全てのセルの前記BCCHにアクセスするステップと
を有し、
前記第１の同期時間が前記第２の同期時間より遅い場合、前記第３の同期時間は前記第１の同期時間であり、或いは、前記第２の同期時間が前記第１の同期時間より遅い場合、前記第３の同期時間は前記第２の同期時間であり、
前記ロケーションエリアアップデート及び前記周辺セルリストの全てのセルの前記BCCHへのアクセスのそれぞれは、ハートビート動作の種類である、請求項１に記載のハートビート動作を同期させる方法。
【請求項１５】
前記周期リストが周期的なルーティングエリアアップデートの周期の長さと、周辺セルリストの各セルのBCCHにアクセスする周期の長さとを有し、前記時間リストが前記周期的なルーティングエリアアップデートのアップデート時間と、前記周辺セルリストの各セルの前記BCCHにアクセスするアップデート時間とを有する場合、
前記周期リストに従って前記ハートビート動作の周期の長さを取得し、前記時間リストとハートビート周期と予め設定された倍数とに従って同期時間を取得するステップは、
上りリンクハートビート動作の周期の長さとして、前記周期的なルーティングエリアアップデートの前記周期の長さを設定するステップと、
前記予め設定された倍数Kと、前記周期リストにおける前記周辺セルリストの各セルの前記BCCHにアクセスする前記周期の長さとに従って、第１の周期の長さTDを取得するために、式TD=K*max(T1,...,Tn)を使用し、下りリンクハートビート動作の周期の長さとして、前記第１の周期の長さTDを設定するステップと、
前記時間リストの前記周期的なルーティングエリアアップデートの前記アップデート時間TKRと前記ハートビート周期Tbasicと前記予め設定された倍数Kとに従って、第１の同期時間T1startを取得するために、式T1start=TKR+K*Tbasicを使用するステップと、
前記時間リストにおける前記周辺セルリストの各セルの前記BCCHにアクセスする前記アップデート時間を問い合わせ、前記周辺セルリストに最後に追加されたセルのBCCHにアクセスするアップデート時間TKnを取得し、前記周辺セルリストに最後に追加された前記セルの前記BCCHにアクセスする前記アップデート時間TKnと前記ハートビート周期Tbasicと前記予め設定された倍数Kとに従って、第２の同期時間T2startを取得するために、式T2start=TKn+K*Tbasicを使用するステップと
を有し、
前記同期時間からの周期として、前記ハートビート動作の前記周期の長さを使用することにより、少なくとも１つの種類のハートビート動作を同期させるステップは、
前記上りリンクハートビート動作の前記周期の長さが前記下りリンクハートビート動作の前記周期の長さ以上である場合、第３の同期時間からの周期として、第２のハートビート動作の周期の長さを使用することにより、同期してルーティングエリアアップデートを実行し、前記周辺セルリストの全てのセルのBCCHにアクセスするステップであり、前記第２のハートビート動作の前記周期の長さは、前記下りリンクハートビート動作の前記周期の長さのm倍であり、前記下りリンクハートビート動作の前記周期の長さのm倍は、前記上りリンクハートビート動作の前記周期の長さ未満であり、前記下りリンクハートビート動作の前記周期の長さのm+1倍は、前記上りリンクハートビート動作の前記周期の長さより大きく、mは1以上の整数であるステップと、
前記上りリンクハートビート動作の前記周期の長さが前記下りリンクハートビート動作の前記周期の長さ未満である場合、前記第３の同期時間からの周期として、前記上りリンクハートビート動作の前記周期の長さを使用することにより、同期して前記ルーティングエリアアップデートを実行し、前記周辺セルリストの全てのセルの前記BCCHにアクセスするステップと
を有し、
前記第１の同期時間が前記第２の同期時間より遅い場合、前記第３の同期時間は前記第１の同期時間であり、或いは、前記第２の同期時間が前記第１の同期時間より遅い場合、前記第３の同期時間は前記第２の同期時間であり、
前記ルーティングエリアアップデート及び前記周辺セルリストの全てのセルの前記BCCHへのアクセスのそれぞれは、ハートビート動作の種類である、請求項１に記載のハートビート動作を同期させる方法。
【請求項１６】
前記周期リストは、DRX傍受周期の長さを更に有し、前記時間リストはDRX傍受時間を更に有し、
前記方法は、前記ハートビート周期として前記DRX傍受周期の長さを設定し、前記ハートビートの起動時間として前記DRX傍受時間を設定するステップを更に有し、
前記ハートビート周期は、前記DRX傍受周期の長さに等しく、前記ハートビートの前記起動時間は、前記DRX傍受時間に等しく、前記ハートビート周期は、前記ハートビートの１つの起動時間と前記ハートビートの次の起動時間との間の時間の長さであり、前記同期時間は、第１の時間における前記ハートビートの前記起動時間に一致し、前記第１の時間の後に、前記同期時間は、前記ハートビート動作の前記周期の長さの間隔における前記ハートビート時間に一致する、請求項１ないし１５のうちいずれか１項に記載のハートビート動作を同期させる方法。
【請求項１７】
前記周期リストは、周期的なロケーションエリアアップデートの周期の長さと、DRX傍受周期の長さとを有し、前記時間リストは、前記周期的なロケーションエリアアップデートのアップデート時間と、DRX傍受時間とを有する場合、
前記周期リストに従って前記ハートビート動作の周期の長さを取得し、前記時間リストとハートビート周期と予め設定された倍数とに従って同期時間を取得するステップは、
上りリンクハートビート動作の周期の長さとして、前記周期的なロケーションエリアアップデートの前記周期の長さを設定するステップと、
前記時間リストの前記周期的なロケーションエリアアップデートの前記アップデート時間TKLと前記ハートビート周期Tbasicと前記予め設定された倍数Kとに従って、第１の同期時間T1startを取得するために、式T1start=TKL+K*Tbasicを使用するステップと
を有し、
前記同期時間からの周期として、前記ハートビート動作の前記周期の長さを使用することにより、少なくとも１つの種類のハートビート動作を同期させるステップは、
前記第１の同期時間からの周期として、前記上りリンクハートビート動作の前記周期の長さを使用することにより、ロケーションエリアアップデートを実行するステップを有し、
前記DRX傍受周期の長さは、前記ハートビート周期として設定され、前記DRX傍受時間は、前記ハートビートの起動時間として設定され、前記ロケーションエリアアップデート及び前記DRX傍受のそれぞれは、ハートビート動作の種類であり、
前記ハートビート周期は、前記DRX傍受周期の長さに等しく、前記ハートビートの前記起動時間は、前記DRX傍受時間に等しく、前記ハートビート周期は、前記ハートビートの１つの起動時間と前記ハートビートの次の起動時間との間の時間の長さであり、前記同期時間は、第１の時間における前記ハートビートの前記起動時間に一致し、前記第１の時間の後に、前記同期時間は、前記ハートビート動作の前記周期の長さの間隔における前記ハートビート時間に一致する、請求項１に記載のハートビート動作を同期させる方法。
【請求項１８】
前記周期リストが周期的なルーティングエリアアップデートの周期の長さと、DRX傍受周期の長さとを有し、前記時間リストが前記周期的なルーティングエリアアップデートのアップデート時間と、DRX傍受時間とを有する場合、
前記周期リストに従って前記ハートビート動作の周期の長さを取得し、前記時間リストとハートビート周期と予め設定された倍数とに従って同期時間を取得するステップは、
上りリンクハートビート動作の周期の長さとして、前記周期的なルーティングエリアアップデートの前記周期の長さを設定するステップと、
前記時間リストの前記周期的なルーティングエリアアップデートの前記アップデート時間TKRと前記ハートビート周期Tbasicと前記予め設定された倍数Kとに従って、第１の同期時間T1startを取得するために、式T1start=TKL+K*Tbasicを使用するステップと
を有し、
前記同期時間からの周期として、前記ハートビート動作の前記周期の長さを使用することにより、少なくとも１つの種類のハートビート動作を同期させるステップは、
前記第１の同期時間からの周期として、前記上りリンクハートビート動作の前記周期の長さを使用することにより、ロケーションエリアアップデートを実行するステップを有し、
前記DRX傍受周期の長さは、前記ハートビート周期として設定され、前記DRX傍受時間は、前記ハートビートの起動時間として設定され、前記ルーティングエリアアップデート及び前記DRX傍受のそれぞれは、ハートビート動作の種類であり、
前記ハートビート周期は、前記DRX傍受周期の長さに等しく、前記ハートビートの前記起動時間は、前記DRX傍受時間に等しく、前記ハートビート周期は、前記ハートビートの１つの起動時間と前記ハートビートの次の起動時間との間の時間の長さであり、前記同期時間は、第１の時間における前記ハートビートの前記起動時間に一致し、前記第１の時間の後に、前記同期時間は、前記ハートビート動作の前記周期の長さの間隔における前記ハートビート時間に一致する、請求項１に記載のハートビート動作を同期させる方法。
【請求項１９】
ハートビート動作を同期させる装置であって、
周期リスト及び時間リストを取得するように構成されたリスト取得モジュールと、
前記リスト取得モジュールにより取得された前記周期リストに従って前記ハートビート動作の周期の長さを取得するように構成された周期長取得モジュールと、
前記リスト取得モジュールにより取得された前記時間リストとハートビート周期と予め設定された倍数とに従って同期時間を取得するように構成された同期時間取得モジュールと、
前記同期時間取得モジュールにより取得された前記同期時間からの周期として、前記周期長取得モジュールにより取得された前記ハートビート動作の前記周期の長さを使用することにより、少なくとも１つの種類のハートビート動作を同期させるように構成された同期モジュールと
を有する装置。
【請求項２０】
前記リスト取得モジュールにより取得された前記周期リストが周期的なロケーションエリアアップデートの周期の長さと、周期的なルーティングエリアアップデートの周期の長さとを有し、前記時間リストが前記周期的なロケーションエリアアップデートのアップデート時間と、前記周期的なルーティングエリアアップデートのアップデート時間とを有する場合、
前記周期長取得モジュールは、上りリンクハートビート動作の周期の長さとして、前記リスト取得モジュールにより取得された前記周期的なロケーションエリアアップデートの前記周期の長さ又は前記周期的なルーティングエリアアップデートの前記周期の長さを設定するように特に構成され、
前記同期時間取得モジュールは、前記リスト取得モジュールにより取得された前記時間リストにおける前記周期的なロケーションエリアアップデートの前記アップデート時間又は前記周期的なルーティングエリアアップデートの前記アップデート時間と、前記ハートビート周期と、前記予め設定された倍数とに従って、前記ハートビート動作の第１の同期時間を取得するように構成され、
前記同期モジュールは、前記同期時間取得モジュールにより取得された前記第１の同期時間からの周期として、前記周期長取得モジュールにより設定された前記上りリンクハートビート動作の前記周期の長さを使用することにより、同期してロケーションエリアアップデート及びルーティングエリアアップデートを実行するように特に構成される、請求項１９に記載のハートビート動作を同期させる装置。
【請求項２１】
前記周期長取得モジュールは、音声サービスがデータサービスより高い優先度を有する場合、前記上りリンクハートビート動作の前記周期の長さとして、前記周期的なロケーションエリアアップデートの前記周期の長さを設定するように特に構成され、又は、
前記周期長取得モジュールは、前記データサービスが前記音声サービスより高い優先度を有する場合、前記上りリンクハートビート動作の前記周期の長さとして、前記周期的なルーティングエリアアップデートの前記周期の長さを設定するように特に構成される、請求項２０に記載のハートビート動作を同期させる装置。
【請求項２２】
前記同期時間取得モジュールは、前記ルーティングエリアアップデートの前記アップデート時間が前記ロケーションエリアアップデートの前記アップデート時間より遅い場合、前記時間リストの前記周期的なルーティングエリアアップデートの前記アップデート時間TKRと前記ハートビート周期Tbasicと前記予め設定された倍数Kとに従って、前記ハートビート動作の前記第１の同期時間T1startを取得するために、式T1start=TKR+K*Tbasicを使用するように特に構成され、
前記同期時間取得モジュールは、前記ロケーションエリアアップデートの前記アップデート時間が前記ルーティングエリアアップデートの前記アップデート時間より遅い場合、前記時間リストの前記周期的なロケーションエリアアップデートの前記アップデート時間TKLと前記ハートビート周期Tbasicと前記予め設定された倍数Kとに従って、前記ハートビート動作の前記第１の同期時間T1startを取得するために、式T1start=TKL+K*Tbasicを使用するように特に構成され、
Kは1以上の整数である、請求項２０又は２１に記載のハートビート動作を同期させる装置。
【請求項２３】
前記周期リストは、周辺セルリストの各セルのBCCHにアクセスする周期の長さを更に有し、前記時間リストは、各セルの前記BCCHにアクセスするアップデート時間を更に有し、
前記周期長取得モジュールは、前記リスト取得モジュールにより取得された前記周期リストと前記予め設定された倍数と前記周期長取得モジュールにより設定された前記上りリンクハートビート動作の前記周期の長さとに従って、下りリンクハートビート動作の周期の長さを設定するように更に構成され、
前記同期時間取得モジュールは、前記時間リストにおける前記周辺セルリストの各セルの前記BCCHにアクセスする前記アップデート時間を問い合わせ、前記周辺セルリストに最後に追加されたセルのBCCHにアクセスするアップデート時間TKnを取得し、前記周辺セルリストに最後に追加された前記セルの前記BCCHにアクセスする前記アップデート時間TKnと前記ハートビート周期Tbasicと前記予め設定された倍数Kとに従って、前記ハートビート動作の第２の同期時間T2startを取得するために、式T2start=TKn+K*Tbasicを使用するように更に構成され、
前記同期モジュールは、前記ハートビート動作の前記第２の同期時間からの周期として、前記下りリンクハートビート動作の前記周期の長さを使用することにより、前記周辺セルリストの全てのセルの前記BCCHにアクセスするように更に構成され、
Kは1以上の整数である、請求項２２に記載のハートビート動作を同期させる装置。
【請求項２４】
前記周期長取得モジュールは、
前記周期リストにおける前記周辺セルリストの各セルの前記BCCHにアクセスする前記周期の長さと前記予め設定された倍数Kとに従って、第１の周期の長さTDを取得するために、式TD=K*max(T1,...,Tn)を使用するように構成された第１の周期長取得ユニットと、
前記周期長取得モジュールにより設定された前記上りリンクハートビート動作の前記周期の長さが前記第１の周期長取得ユニットにより取得された前記第１の周期の長さ以上である場合、前記下りリンクハートビート動作の前記周期の長さとして、前記第１の周期の長さを設定するように構成された周期長取得ユニットと、
を有し、
前記周期長取得ユニットは、前記上りリンクハートビート動作の前記周期の長さが前記第１の周期の長さ未満である場合、前記下りリンクハートビート動作の前記周期の長さとして、前記上りリンクハートビート動作の前記周期の長さを設定するように更に構成され、
T1は第１のセルのBCCHにアクセスする周期の長さを示し、Tnは第nのセルのBCCHにアクセスする周期の長さを示し、nは1以上の整数である、請求項２３に記載のハートビート動作を同期させる装置。
【請求項２５】
前記同期モジュールは、第３の同期時間からの周期として、第２のハートビート動作の周期の長さを使用することにより、同期して前記ロケーションエリアアップデート及び前記ルーティングエリアアップデートを実行し、前記周辺セルリストの全てのセルの前記BCCHにアクセスするように更に構成され、
前記第１の同期時間が前記第２の同期時間より遅い場合、前記第３の同期時間は前記第１の同期時間であり、或いは、前記第２の同期時間が前記第１の同期時間より遅い場合、前記第３の同期時間は前記第２の同期時間であり、
前記第２のハートビートの前記周期の長さは、前記下りリンクハートビート動作の前記周期の長さのm倍であり、前記下りリンクハートビート動作の前記周期の長さのm倍は、前記上りリンクハートビート動作の前記周期の長さ未満であり、前記下りリンクハートビート動作の前記周期の長さのm+1倍は、前記上りリンクハートビート動作の前記周期の長さより大きく、mは1以上の整数である、請求項２４に記載のハートビート動作を同期させる装置。
【請求項２６】
前記周期リストが周辺セルリストの各セルのBCCHにアクセスする周期の長さを有し、前記時間リストが前記周辺セルリストの各セルの前記BCCHにアクセスするアップデート時間を有する場合、
前記周期長取得モジュールは、前記予め設定された倍数Kと、前記リスト取得モジュールにより取得された前記周期リストにおける前記周辺セルリストの各セルの前記BCCHにアクセスする前記周期の長さとに従って、第１の周期の長さTDを取得するために、式TD=K*max(T1,...,Tn)を使用し、下りリンクハートビート動作の周期の長さとして前記第１の周期の長さTDを設定するように特に構成され、
前記同期時間取得モジュールは、前記リスト取得モジュールにより取得された前記時間リストにおける前記周辺セルリストの各セルの前記BCCHにアクセスする前記アップデート時間を問い合わせ、前記周辺セルリストに最後に追加されたセルのBCCHにアクセスするアップデート時間TKnを取得し、前記周辺セルリストに最後に追加された前記セルの前記BCCHにアクセスする前記アップデート時間TKnと前記ハートビート周期Tbasicと前記予め設定された倍数Kとに従って、前記ハートビート動作の第２の同期時間T2startを取得するために、式T2start=TKn+K*Tbasicを使用するように特に構成され、
前記同期モジュールは、前記同期時間取得モジュールにより取得された前記ハートビート動作の前記第２の同期時間からの周期として、前記周期長取得モジュールにより設定された前記下りリンクハートビート動作の前記周期の長さを使用することにより、前記周辺セルリストの全てのセルのBCCHにアクセスするように特に構成され、
Kは1以上の整数であり、T1は第１のセルのBCCHにアクセスする周期の長さを示し、Tnは第nのセルのBCCHにアクセスする周期の長さを示し、nは1以上の整数であり、Kは1以上の整数である、請求項１９に記載のハートビート動作を同期させる装置。
【請求項２７】
前記リスト取得モジュールにより取得された前記周期リストが周期的なロケーションエリアアップデートの周期の長さと、周期的なルーティングエリアアップデートの周期の長さとを更に有し、前記前記時間リストが前記周期的なロケーションエリアアップデートのアップデート時間と、前記周期的なルーティングエリアアップデートのアップデート時間とを更に有する場合、
前記周期長取得モジュールは、上りリンクハートビート動作の周期の長さとして、前記リスト取得モジュールにより取得された前記周期的なロケーションエリアアップデートの前記周期の長さ又は前記周期的なルーティングエリアアップデートの前記周期の長さを設定するように更に構成され、
前記同期時間取得モジュールは、前記時間リストにおける前記周期的なロケーションエリアアップデートの前記アップデート時間又は前記周期的なルーティングエリアアップデートの前記アップデート時間と、前記ハートビート周期と、前記予め設定された倍数とに従って、前記ハートビート動作の第１の同期時間を取得するように更に構成され、
前記同期モジュールは、前記ハートビート動作の前記第１の同期時間からの周期として、前記周期長取得モジュールにより設定された前記上りリンクハートビート動作の前記周期の長さを使用することにより、同期してロケーションエリアアップデート及びルーティングエリアアップデートを実行するように更に構成される、請求項２６に記載のハートビート動作を同期させる装置。
【請求項２８】
前記同期時間取得モジュールは、前記ルーティングエリアアップデートの前記アップデート時間が前記ロケーションエリアアップデートの前記アップデート時間より遅い場合、前記時間リストの前記周期的なルーティングエリアアップデートの前記アップデート時間TKRと前記ハートビート周期Tbasicと前記予め設定された倍数Kとに従って、前記ハートビート動作の前記第１の同期時間T1startを取得するために、式T1start=TKR+K*Tbasicを使用するように特に構成され、
前記同期時間取得モジュールは、前記ロケーションエリアアップデートの前記アップデート時間が前記ルーティングエリアアップデートの前記アップデート時間より遅い場合、前記時間リストの前記周期的なロケーションエリアアップデートの前記アップデート時間TKLと前記ハートビート周期Tbasicと前記予め設定された倍数Kとに従って、前記ハートビート動作の前記第１の同期時間T1startを取得するために、式T1start=TKL+K*Tbasicを使用するように更に特に構成され、
を有し、
Kは1以上の整数である、請求項２７に記載のハートビート動作を同期させる装置。
【請求項２９】
前記周期長取得モジュールは、
前記リスト取得モジュールにより取得された前記周期リストにおける前記周辺セルリストの各セルの前記BCCHにアクセスする前記周期の長さと前記予め設定された倍数Kとに従って、前記第１の周期の長さTDを取得するために、式TD=K*max(T1,...,Tn)を使用する第１の周期長取得ユニットと、
前記周期長取得モジュールにより設定された前記上りリンクハートビート動作の前記周期の長さが前記第１の周期長取得ユニットにより取得された前記第１の周期の長さ以上である場合、前記下りリンクハートビート動作の前記周期の長さとして、前記第１の周期の長さTDを設定するように構成された周期長取得ユニットと
を有する、請求項２８に記載のハートビート動作を同期させる装置。
【請求項３０】
前記周期長取得ユニットは、前記上りリンクハートビート動作の前記周期の長さが前記第１の周期の長さ未満である場合、前記下りリンクハートビート動作の前記周期の長さとして、前記上りリンクハートビート動作の前記周期の長さを設定するように更に構成される、請求項２９に記載のハートビート動作を同期させる装置。
【請求項３１】
前記同期モジュールは、前記上りリンクハートビート動作の前記周期の長さが前記下りリンクハートビート動作の前記周期の長さ以上である場合、第３の同期時間からの周期として、第２のハートビート動作の周期の長さを使用することにより、同期して前記ロケーションエリアアップデート及び前記ルーティングエリアアップデートを実行し、前記周辺セルリストの全てのセルの前記BCCHにアクセスするように更に構成され、
前記第２のハートビートの前記周期の長さは、前記下りリンクハートビート動作の前記周期の長さのm倍であり、前記下りリンクハートビート動作の前記周期の長さのm倍は、前記上りリンクハートビート動作の前記周期の長さ未満であり、前記下りリンクハートビート動作の前記周期の長さのm+1倍は、前記上りリンクハートビート動作の前記周期の長さより大きく、mは1以上の整数であり、
前記同期モジュールは、前記上りリンクハートビート動作の前記周期の長さが前記下りリンクハートビート動作の前記周期の長さ未満である場合、前記第２の同期時間からの周期として、前記上りリンクハートビート動作の前記周期の長さを使用することにより、同期して前記ロケーションエリアアップデート及び前記ルーティングエリアアップデートを実行し、前記周辺セルリストの全てのセルの前記BCCHにアクセスするように更に構成され、
前記第１の同期時間が前記第２の同期時間より遅い場合、前記第３の同期時間は前記第１の同期時間であり、或いは、前記第２の同期時間が前記第１の同期時間より遅い場合、前記第３の同期時間は前記第２の同期時間である、請求項２９又は３０に記載のハートビート動作を同期させる装置。
【請求項３２】
前記リスト取得モジュールにより取得された前記周期リストが周期的なロケーションエリアアップデートの周期の長さと、周辺セルリストの各セルのBCCHにアクセスする周期の長さとを有し、前記時間リストが前記周期的なロケーションエリアアップデートのアップデート時間と、前記周辺セルリストの各セルの前記BCCHにアクセスするアップデート時間とを有する場合、
前記周期長取得モジュールは、上りリンクハートビート動作の周期の長さとして、前記周期的なロケーションエリアアップデートの前記周期の長さを設定し、前記予め設定された倍数Kと、前記周期リストにおける前記周辺セルリストの各セルの前記BCCHにアクセスする前記周期の長さとに従って、第１の周期の長さTDを取得するために、式TD=K*max(T1,...,Tn)を使用し、下りリンクハートビート動作の周期の長さとして、前記第１の周期の長さTDを設定するように特に構成され、
前記同期時間取得モジュールは、前記時間リストの前記周期的なロケーションエリアアップデートの前記アップデート時間TKLと前記ハートビート周期Tbasicと前記予め設定された倍数Kとに従って、第１の同期時間T1startを取得するために、式T1start=TKL+K*Tbasicを使用し、前記時間リストにおける前記周辺セルリストの各セルの前記BCCHにアクセスする前記アップデート時間を問い合わせ、前記周辺セルリストに最後に追加されたセルのBCCHにアクセスするアップデート時間TKnを取得し、前記周辺セルリストに最後に追加された前記セルの前記BCCHにアクセスする前記アップデート時間TKnと前記ハートビート周期Tbasicと前記予め設定された倍数Kとに従って、第２の同期時間T2startを取得するために、式T2start=TKn+K*Tbasicを使用するように特に構成され、
前記同期モジュールは、前記上りリンクハートビート動作の前記周期の長さが前記下りリンクハートビート動作の前記周期の長さ以上である場合、第３の同期時間からの周期として、第２のハートビート動作の周期の長さを使用することにより、同期してロケーションエリアアップデートを実行し、前記周辺セルリストの全てのセルのBCCHにアクセスするように特に構成され、前記第２のハートビート動作の前記周期の長さは、前記下りリンクハートビート動作の前記周期の長さのm倍であり、前記下りリンクハートビート動作の前記周期の長さのm倍は、前記上りリンクハートビート動作の前記周期の長さ未満であり、前記下りリンクハートビート動作の前記周期の長さのm+1倍は、前記上りリンクハートビート動作の前記周期の長さより大きく、mは1以上の整数であり、
前記同期モジュールは、前記上りリンクハートビート動作の前記周期の長さが前記下りリンクハートビート動作の前記周期の長さ未満である場合、前記第３の同期時間からの周期として、前記上りリンクハートビート動作の前記周期の長さを使用することにより、同期して前記ロケーションエリアアップデートを実行し、前記周辺セルリストの全てのセルの前記BCCHにアクセスするように更に特に構成され、
前記第１の同期時間が前記第２の同期時間より遅い場合、前記第３の同期時間は前記第１の同期時間であり、或いは、前記第２の同期時間が前記第１の同期時間より遅い場合、前記第３の同期時間は前記第２の同期時間であり、
前記ロケーションエリアアップデート及び前記周辺セルリストの全てのセルの前記BCCHへのアクセスのそれぞれは、ハートビート動作の種類である、請求項１９に記載のハートビート動作を同期させる装置。
【請求項３３】
前記リスト取得モジュールにより取得された前記周期リストが周期的なルーティングエリアアップデートの周期の長さと、周辺セルリストの各セルのBCCHにアクセスする周期の長さとを有し、前記時間リストが前記周期的なルーティングエリアアップデートのアップデート時間と、前記周辺セルリストの各セルの前記BCCHにアクセスするアップデート時間とを有する場合、
前記周期長取得モジュールは、上りリンクハートビート動作の周期の長さとして、前記周期的なルーティングエリアアップデートの前記周期の長さを設定し、前記予め設定された倍数Kと、前記周期リストにおける前記周辺セルリストの各セルの前記BCCHにアクセスする前記周期の長さとに従って、第１の周期の長さTDを取得するために、式TD=K*max(T1,...,Tn)を使用し、下りリンクハートビート動作の周期の長さとして、前記第１の周期の長さTDを設定するように特に構成され、
前記同期時間取得モジュールは、前記時間リストの前記周期的なルーティングエリアアップデートの前記アップデート時間TKRと前記ハートビート周期Tbasicと前記予め設定された倍数Kとに従って、第１の同期時間T1startを取得するために、式T1start=TKR+K*Tbasicを使用し、前記時間リストにおける前記周辺セルリストの各セルの前記BCCHにアクセスする前記アップデート時間を問い合わせ、前記周辺セルリストに最後に追加されたセルのBCCHにアクセスするアップデート時間TKnを取得し、前記周辺セルリストに最後に追加された前記セルの前記BCCHにアクセスする前記アップデート時間TKnと前記ハートビート周期Tbasicと前記予め設定された倍数Kとに従って、第２の同期時間T2startを取得するために、式T2start=TKn+K*Tbasicを使用するように特に構成され、
前記同期モジュールは、前記上りリンクハートビート動作の前記周期の長さが前記下りリンクハートビート動作の前記周期の長さ以上である場合、第３の同期時間からの周期として、第２のハートビート動作の周期の長さを使用することにより、同期してルーティングエリアアップデートを実行し、前記周辺セルリストの全てのセルのBCCHにアクセスするように特に構成され、前記第２のハートビート動作の前記周期の長さは、前記下りリンクハートビート動作の前記周期の長さのm倍であり、前記下りリンクハートビート動作の前記周期の長さのm倍は、前記上りリンクハートビート動作の前記周期の長さ未満であり、前記下りリンクハートビート動作の前記周期の長さのm+1倍は、前記上りリンクハートビート動作の前記周期の長さより大きく、mは1以上の整数であり、
前記同期モジュールは、前記上りリンクハートビート動作の前記周期の長さが前記下りリンクハートビート動作の前記周期の長さ未満である場合、前記第３の同期時間からの周期として、前記上りリンクハートビート動作の前記周期の長さを使用することにより、同期して前記ルーティングエリアアップデートを実行し、前記周辺セルリストの全てのセルの前記BCCHにアクセスするように更に特に構成され、
前記第１の同期時間が前記第２の同期時間より遅い場合、前記第３の同期時間は前記第１の同期時間であり、或いは、前記第２の同期時間が前記第１の同期時間より遅い場合、前記第３の同期時間は前記第２の同期時間であり、
前記ルーティングエリアアップデート及び前記周辺セルリストの全てのセルの前記BCCHへのアクセスのそれぞれは、ハートビート動作の種類である、請求項１９に記載のハートビート動作を同期させる装置。
【請求項３４】
前記リスト取得モジュールにより取得された前記周期リストは、DRX傍受周期の長さを更に有し、前記時間リストはDRX傍受時間を更に有し、
前記ハートビート動作を同期させる装置は、前記ハートビート周期として前記DRX傍受周期の長さを設定し、前記ハートビートの起動時間として前記DRX傍受時間を設定するように構成されたハートビート設定モジュールを更に有し、
前記ハートビート周期は、前記DRX傍受周期の長さに等しく、前記ハートビートの前記起動時間は、前記DRX傍受時間に等しく、前記ハートビート周期は、前記ハートビートの１つの起動時間と前記ハートビートの次の起動時間との間の時間の長さであり、前記同期時間は、第１の時間における前記ハートビートの前記起動時間に一致し、前記第１の時間の後に、前記同期時間は、前記ハートビート動作の前記周期の長さの間隔における前記ハートビート時間に一致する、請求項１９ないし３３のうちいずれか１項に記載のハートビート動作を同期させる装置。
【請求項３５】
前記リスト取得モジュールにより取得された前記周期リストは、周期的なロケーションエリアアップデートの周期の長さと、DRX傍受周期の長さとを有し、前記時間リストは、前記周期的なロケーションエリアアップデートのアップデート時間と、DRX傍受時間とを有する場合、
前記周期長取得モジュールは、上りリンクハートビート動作の周期の長さとして、前記周期的なロケーションエリアアップデートの前記周期の長さを設定するように特に構成され、
前記同期時間取得モジュールは、前記時間リストの前記周期的なロケーションエリアアップデートの前記アップデート時間TKLと前記ハートビート周期Tbasicと前記予め設定された倍数Kとに従って、第１の同期時間T1startを取得するために、式T1start=TKL+K*Tbasicを使用するように特に構成され、
前記同期モジュールは、前記第１の同期時間からの周期として、前記上りリンクハートビート動作の前記周期の長さを使用することにより、ロケーションエリアアップデートを実行するように特に構成され、
前記ハートビート動作を同期させる装置は、前記ハートビート周期として前記DRX傍受周期の長さを設定し、前記ハートビートの起動時間として前記DRX傍受時間を設定するように構成されたハートビート設定モジュールを更に有し、
前記ロケーションエリアアップデート及び前記DRX傍受のそれぞれは、ハートビート動作の種類であり、
前記ハートビート周期は、前記DRX傍受周期の長さに等しく、前記ハートビートの前記起動時間は、前記DRX傍受時間に等しく、前記ハートビート周期は、前記ハートビートの１つの起動時間と前記ハートビートの次の起動時間との間の時間の長さであり、前記同期時間は、第１の時間における前記ハートビートの前記起動時間に一致し、前記第１の時間の後に、前記同期時間は、前記ハートビート動作の前記周期の長さの間隔における前記ハートビート時間に一致する、請求項１９に記載のハートビート動作を同期させる装置。
【請求項３６】
前記リスト取得モジュールにより取得された前記周期リストが周期的なルーティングエリアアップデートの周期の長さと、DRX傍受周期の長さとを有し、前記時間リストが前記周期的なルーティングエリアアップデートのアップデート時間と、DRX傍受時間とを有する場合、
前記周期長取得モジュールは、上りリンクハートビート動作の周期の長さとして、前記周期的なルーティングエリアアップデートの前記周期の長さを設定するように特に構成され、
前記同期時間取得モジュールは、前記時間リストの前記周期的なルーティングエリアアップデートの前記アップデート時間TKRと前記ハートビート周期Tbasicと前記予め設定された倍数Kとに従って、第１の同期時間T1startを取得するために、式T1start=TKL+K*Tbasicを使用するように特に構成され、
前記同期モジュールは、前記第１の同期時間からの周期として、前記上りリンクハートビート動作の前記周期の長さを使用することにより、ロケーションエリアアップデートを実行するように特に構成され、
前記ハートビート動作を同期させる装置は、前記ハートビート周期として前記DRX傍受周期の長さを設定し、前記ハートビートの起動時間として前記DRX傍受時間を設定するように構成されたハートビート設定モジュールを更に有し、
前記ルーティングエリアアップデート及び前記DRX傍受のそれぞれは、ハートビート動作の種類であり、
前記ハートビート周期は、前記DRX傍受周期の長さに等しく、前記ハートビートの前記起動時間は、前記DRX傍受時間に等しく、前記ハートビート周期は、前記ハートビートの１つの起動時間と前記ハートビートの次の起動時間との間の時間の長さであり、前記同期時間は、第１の時間における前記ハートビートの前記起動時間に一致し、前記第１の時間の後に、前記同期時間は、前記ハートビート動作の前記周期の長さの間隔における前記ハートビート時間に一致する、請求項１９に記載のハートビート動作を同期させる装置。
【請求項３７】
命令に従ってプロセッサが請求項１ないし１８のうちいずれか１項に記載のハートビート動作を同期させる方法を実施する場合の命令を格納したメモリを有する装置。
【請求項３８】
請求項１ないし１８のうちいずれか１項に記載のハートビート動作を同期させる方法を実施するように構成されたプロセッサを有する装置。
【請求項３９】
コンピュータプログラムコードがコンピュータ上で実行した場合、コンピュータが請求項１ないし１８のうちいずれか１項に記載のハートビート動作を同期させる方法のステップを実行可能にするコンピュータプログラムコードを有するコンピュータプログラムプロダクト。
【請求項４０】
コンピュータプログラムコードがコンピュータ上で実行した場合、コンピュータが請求項１ないし１８のうちいずれか１項に記載のハートビート動作を同期させる方法のステップを実行可能にするコンピュータプログラムコードを格納したコンピュータ可読記憶媒体。
【発明の詳細な説明】
【技術分野】
【０００１】
本発明は、通信技術に関し、特にハートビート（heartbeat）動作を同期させる方法及び装置に関する。
【背景技術】
【０００２】
移動電話のハートビートは、移動電話を休止（hibernation）状態から起動（wake-up）状態に切り替えることを可能にする。移動電話のハートビート動作は、移動電話が休止状態から起動状態に切り替わった後に、ユーザの動作なしに移動電話とネットワーク側との間でデータを交換及びアップデートする動作である。現在では、移動電話がスタンバイ状態にある場合、主に以下の種類のハートビート動作を有する。
【０００３】
第１の種類：移動電話は、基地局へのロケーションエリアアップデート（location  area  update）を先取り的に開始し、移動電話がディープスタンバイ（deep  standby）状態にあるときに、基地局により配信された時間の長さに従ってロケーションエリアを周期的にアップデートする。
【０００４】
第２の種類：移動電話は、基地局へのルーティングエリアアップデート（routing  area  update）を先取り的に開始し、移動電話がディープスタンバイ状態にあるときに、基地局により配信された時間の長さに従ってルーティングエリアを周期的にアップデートする。
【０００５】
第３の種類：移動電話は、セルのブロードキャスト制御チャネル（BCCH：Broadcast  Control  Channel）に周期的にアクセスし、セルについての情報を取得する。
【０００６】
第４の種類：移動電話は回線交換ページングを実行する。
【発明の概要】
【発明が解決しようとする課題】
【０００７】
少なくとも１つの種類のハートビート動作が実際のネットワークで非同期である状態が存在する可能性がある。例えば、周期的なロケーションエリアアップデート及び周期的なルーティングエリアアップデートは、同期して実行されない。異なるセルは、異なる時間に移動電話により設定された周辺セルリストに追加されるため、全てのセルのBCCHへのアクセスが非同期になる。従って、移動電話は、スタンバイ状態で別々にハートビート動作を実行する必要があり、このことは、繰り返しのリンク確立及びリンク切断を生じ、移動電話による電力の浪費を生じる。
【０００８】
本発明は、移動電話による電力の浪費の問題を解決するため、ハートビート動作を同期させる方法及び装置を提供する。
【課題を解決するための手段】
【０００９】
本発明の第１の態様は、ハートビート動作を同期させる方法を提供し、周期リスト及び時間リストを取得するステップと、周期リストに従ってハートビート動作の周期の長さを取得し、時間リストとハートビート周期と予め設定された倍数とに従って同期時間を取得するステップと、同期時間からの周期として、ハートビート動作の周期の長さを使用することにより、少なくとも１つの種類のハートビート動作を同期させるステップとを含む。
【００１０】
本発明の第２の態様は、ハートビート動作を同期させる装置を提供し、周期リスト及び時間リストを取得するように構成されたリスト取得モジュールと、リスト取得モジュールにより取得された周期リストに従ってハートビート動作の周期の長さを取得するように構成された周期長取得モジュールと、リスト取得モジュールにより取得された時間リストとハートビート周期と予め設定された倍数とに従って同期時間を取得するように構成された同期時間取得モジュールと、同期時間取得モジュールにより取得された同期時間からの周期として、周期長取得モジュールにより取得されたハートビート動作の周期の長さを使用することにより、少なくとも１つの種類のハートビート動作を同期させるように構成された同期モジュールとを含む。
【００１１】
本発明の第３の態様は、命令に従ってプロセッサが前述のハートビート動作を同期させる方法を実施する場合の命令を格納したメモリを含む装置を提供する。
【００１２】
本発明の第４の態様は、前述のハートビート動作を同期させる方法を実施するように構成されたプロセッサを含む装置を提供する。
【００１３】
本発明の第５の態様は、コンピュータプログラムコードがコンピュータ上で実行した場合、コンピュータが前述のハートビート動作を同期させる方法のステップを実行可能にするコンピュータプログラムコードを含むコンピュータプログラムプロダクトを提供する。
【００１４】
本発明の第６の態様は、コンピュータプログラムコードがコンピュータ上で実行した場合、コンピュータが前述のハートビート動作を同期させる方法のステップを実行可能にするコンピュータプログラムコードを格納したコンピュータ可読記憶媒体を提供する。
【発明の効果】
【００１５】
本発明の技術的効果は、取得された周期リストに従ってハートビート動作の周期の長さを取得し、取得された時間リストとハートビート周期と予め設定された倍数とに従って同期時間を取得し、同期時間からの周期として、ハートビート動作のこの周期の長さを使用することにより、少なくとも１つの種類のハートビート動作を同期させることであり、これにより、従来技術における少なくとも１つの種類のハートビート動作の非同期による、あまりにも多くのハートビート動作により生じる電力の浪費の問題を解決し、更に、あまりにも多くのハートビート動作により生じる電力消費を相当に低減する。
【図面の簡単な説明】
【００１６】
【図１】本発明の第１の実施例に従ってハートビート動作を同期させる方法のフローチャート
【図２】本発明の第２の実施例に従ってハートビート動作を同期させる方法のフローチャート
【図３】本発明の第５の実施例に従ってハートビート動作を同期させる方法のフローチャート
【図４】本発明の第８の実施例に従ってハートビート動作を同期させる方法のフローチャート
【図５】本発明の第１０の実施例に従ってハートビート動作を同期させる方法のフローチャート
【図６】本発明の第１２の実施例に従ってハートビート動作を同期させる方法のフローチャート
【図７】本発明の第１３の実施例に従ってハートビート動作を同期させる方法のフローチャート
【図８】本発明の第１４の実施例に従ってハートビート動作を同期させる方法のフローチャート
【図９ａ】従来技術における移動電話により実行されるハートビート動作の効果
【図９ｂ】本発明の実施例に従って移動電話により実行されるハートビート動作の効果
【図１０】本発明の第１の実施例に従ってハートビート動作を同期させる装置の概略構成図
【発明を実施するための形態】
【００１７】
図１は、第１の実施例に従ってハートビート動作を同期させる方法のフローチャートである。図１に示すように、この実施例の実施対象は、ハートビート動作を同期させる装置である。この方法は、以下のステップを含む。
【００１８】
ステップ101：周期リスト及び時間リストを取得する。
【００１９】
ステップ102：周期リストに従ってハートビート動作の周期の長さを取得し、時間リストとハートビート周期と予め設定された倍数とに従って同期時間を取得する。
【００２０】
ステップ103：同期時間からの周期として、ハートビート動作の周期の長さを使用することにより、少なくとも１つの種類のハートビート動作を同期させる。
【００２１】
この実施例によれば、ロケーションエリアアップデート、ルーティングエリアアップデート、セルのBCCHへのアクセス及び回線交換ページングのうち１つ以上の種類のハートビート動作が含まれてもよい。回線交換ページングは、不連続受信（DRX：Discontinuous  Reception）傍受と呼ばれてもよい。
【００２２】
更に、この実施例では、ハートビート動作を実行させる装置として、移動電話を例に挙げる。ロケーションエリアアップデートは、移動電話がネットワークに登録した場合に、在圏のために適切な回線交換ロケーションエリアを選択し、移動電話がスタンバイ状態にあるときに基地局へのロケーションエリアアップデートを先取り的且つ周期的に開始することを意味する。従って、ネットワークは、移動電話の位置を明確に学習でき、移動電話は、ネットワークからのページングに適切な時間に応答できる。
【００２３】
ルーティングエリアアップデートは、移動電話がネットワークに登録した場合に、適切なパケット交換ルーティングエリアを選択し、基地局へのルーティングエリアアップデートを先取り的且つ周期的に開始することを意味する。従って、移動電話は、基地局へのデータサービスを開始できる。
【００２４】
回線交換ページングは、基地局側がページングチャネルを通じてページング命令を移動電話に配信し、移動電話に対応するページングチャネルを周期的に傍受（受信）することにより、移動電話に一致するページング情報がページングチャネルで受信されたか否かを移動電話が判定することを意味する。更に、複数の移動電話は、１つのページングチャネルを通じて基地局に接続されてもよい。すなわち、１つの移動電話又は複数の移動電話に対応するページング情報は、１つのページングチャネルに含まれてもよい。
【００２５】
この実施例によれば、ハートビート動作の周期の長さは、取得された周期リストに従って取得され、同期時間は、取得された時間リストとハートビート動作と予め設定された倍数とに従って取得され、少なくとも１つの種類のハートビート動作は、同期時間からの周期として、ハートビート動作の周期の長さを使用することにより同期される。従って、ハートビート動作を同期させる装置の電力の浪費が少なくとも１つの種類のハートビート動作の非同期により生じるという従来技術における問題が解決され、更に、ハートビート動作を同期させる装置の電力消費が効果的に低減される。
【００２６】
好ましくは、図１に示す実施例に基づいて、ステップ103に記載の少なくとも１つの種類のハートビート動作を同期させるステップは、以下の特定の実施方法を含んでもよい。
【００２７】
第１：同期して周辺セルリストの全てのセルのBCCHにアクセスする。
【００２８】
第２：同期してロケーションエリアアップデート及びルーティングエリアアップデートを実行する。
【００２９】
第３：同期してロケーションエリアアップデートを実行し、周辺セルリストの全てのセルのBCCHにアクセスする。
【００３０】
第４：同期してルーティングエリアアップデートを実行し、周辺セルリストの全てのセルのBCCHにアクセスする。
【００３１】
第５：同期してロケーションエリアアップデート及びルーティングエリアアップデートを実行し、周辺セルリストの全てのセルのBCCHにアクセスする。
【００３２】
第６：同期して周辺セルリストの全てのセルのBCCHにアクセスし、回線交換ページングを実行する。
【００３３】
第７：同期してロケーションエリアアップデート及び回線交換ページングを実行する。
【００３４】
第８：同期してルーティングエリアアップデート及び回線交換ページングを実行する。
【００３５】
第９：同期してロケーションエリアアップデートを実行し、周辺セルリストの全てのセルのBCCHにアクセスし、回線交換ページングを実行する。
【００３６】
第１０：同期してルーティングエリアアップデートを実行し、周辺セルリストの全てのセルのBCCHにアクセスし、回線交換ページングを実行する。
【００３７】
第１１：同期してロケーションエリアアップデート、ルーティングエリアアップデート及び回線交換ページングを実行する。
【００３８】
第１２：同期してロケーションエリアアップデート、ルーティングエリアアップデート及び回線交換ページングを実行し、周辺セルリストの全てのセルのBCCHにアクセスする。
【００３９】
図２は、本発明の第２の実施例に従ってハートビート動作を同期させる方法のフローチャートである。この実施例によれば、周期的なロケーションエリアアップデートの周期の長さ及び周期的なルーティングエリアアップデートの周期の長さを含む周期リストと、周期的なロケーションエリアアップデートの時間及び周期的なルーティングエリアアップデートの時間を含む時間リストとが、この実施例の詳細な技術的対策を説明する例として使用される。図２に示すように、この実施例の実施対象は、ハートビート動作を同期させる装置である。この方法は、以下のステップを含む。
【００４０】
ステップ201：周期リスト及び時間リストを取得する。周期リストは、周期的なロケーションエリアアップデートの周期の長さと、周期的なルーティングエリアアップデートの周期の長さとを含み、時間リストは、周期的なロケーションエリアアップデートのアップデート時間と、周期的なルーティングエリアアップデートのアップデート時間とを含む。
【００４１】
この実施例によれば、周期リスト及び時間リストを取得する特定の実施方法は以下のようになる。
【００４２】
従来技術において移動電話により実行されるロケーションエリアアップデート及びルーティングエリアアップデートの周期の長さ及びアップデート時間を別々に収集する。特に、周期的なロケーションエリアアップデートの周期の長さ及びアップデート時間と、周期的なルーティングエリアアップデートの周期の長さ及びアップデート時間とを収集し、周期的なロケーションエリアアップデートの収集された周期の長さと、周期的なルーティングエリアアップデートの収集された周期の長さとを周期リストに記録し、周期的なロケーションエリアアップデートの収集されたアップデート時間と、周期的なルーティングエリアアップデートの収集されたアップデート時間とを時間リストに記録する。
【００４３】
ステップ202：上りリンクハートビート動作の周期の長さとして、周期的なロケーションエリアアップデートの周期の長さ又は周期的なルーティングエリアアップデートの周期の長さを設定する。
【００４４】
この実施例によれば、好ましくは、ステップ202に記載の特定の実施方法は、以下のようになってもよい。
【００４５】
音声サービスがデータサービスより高い優先度を有する場合、上りリンクハートビート動作の周期の長さとして、周期的なロケーションエリアアップデートの周期の長さを設定する。
【００４６】
データサービスが音声サービスより高い優先度を有する場合、上りリンクハートビート動作の周期の長さとして、周期的なルーティングエリアアップデートの周期の長さを設定する。
【００４７】
特に、主に音声サービスがデータサービスより高い優先度を有する回線交換ドメインにおいては、周期的なロケーションエリアアップデートの周期の長さは、上りリンクハートビート動作の周期の長さとして設定され、音声サービスが適切に開始されることを確保する。或いは、主にデータサービスが音声サービスより高い優先度を有するパケット交換ドメインにおいては、周期的なルーティングエリアアップデートの周期の長さは、上りリンクハートビート動作の周期の長さとして設定され、データサービスが適切に開始されることを確保する。
【００４８】
更に、ロケーションエリアアップデート及びルーティングエリアアップデートは、上りリンクハートビート動作であるため、この実施例では、上りリンクハートビート動作の周期の長さのみが、ロケーションエリアアップデート及びルーティングエリアアップデートに関して考慮される。上りリンクは、ハートビート動作を同期させる装置から基地局への方向である。
【００４９】
ステップ203：時間リストにおける周期的なロケーションエリアアップデートのアップデート時間又は周期的なルーティングエリアアップデートのアップデート時間と、ハートビート周期と、予め設定された倍数とに従って、ハートビート動作の第１の同期時間を取得する。
【００５０】
この実施例によれば、予め設定された倍数は、ネットワーク環境に従って予め設定されてもよい。ネットワーク環境は、信号強度、信号対雑音比等についての情報でもよい。例えば、信号が強いほど、予め設定された倍数は大きい。
【００５１】
更に、ハートビート周期は、ハートビート動作を同期させる装置のタイマを使用することにより設定されてもよく、ハートビートの起動時間（すなわち、ハートビート動作を同期させる装置の起動時間）もまた、タイマを使用することにより設定されてもよい。ハートビート周期は、ハートビートの１つの起動時間とハートビートの次の起動時間との間の時間の長さである。
【００５２】
ステップ204：ハートビート動作の第１の同期時間からの周期として、上りリンクハートビート動作の周期の長さを使用することにより、同期してロケーションエリアアップデート及びルーティングエリアアップデートを実行する。
【００５３】
この実施例によれば、まず、取得された周期リストにおける周期的なロケーションエリアアップデートの周期の長さ又は周期的なルーティングエリアアップデートの周期の長さは、上りリンクハートビート動作の周期の長さとして設定される。次に、ハートビート動作の第１の同期時間は、取得された時間リストとハートビート周期と予め設定された倍数とに従って取得される。最後に、ロケーションエリアアップデート及びルーティングエリアアップデートは、ハートビート動作の第１の同期時間からの周期として、上りリンクハートビート動作の周期の長さを使用することにより、同期して実行される。このように、従来技術におけるロケーションエリアアップデートとルーティングエリアアップデートとの間の非同期の問題が解決され、更に、ハートビート動作を同期させる装置の電力消費が効果的に低減される。
【００５４】
更に、本発明の第３の実施例によれば、図２に示す実施例に基づいて、ハートビート動作を同期させる装置の電力消費を更に低減する目的で、周期リストは、DRX傍受（受信）周期の長さを含み、時間リストはDRX傍受時間を含む。この方法は、ハートビート周期としてDRX傍受周期の長さを設定し、ハートビートの起動時間としてDRX傍受時間を設定するステップを更に含む。ハートビート周期は、DRX傍受周期の長さに等しく、ハートビートの起動時間は、DRX傍受時間に等しい。ハートビート周期は、ハートビートの起動時間とハートビートの次の起動時間との間の時間の長さである。
【００５５】
更に、本発明の各実施例では、同期時間は、第１の時間におけるハートビートの起動時間に一致し、第１の時間の後に、同期時間は、ハートビート動作の周期の長さの間隔におけるハートビート時間に一致する点に留意すべきである。
【００５６】
この実施例によれば、DRX傍受周期の長さ及びDRX傍受時間は一定であるため、DRX傍受周期の長さ及びDRX傍受時間は、それぞれハートビート周期及びハートビートの起動時間として使用されてもよい。更に、特に、DRX傍受周期の長さ及びDRX傍受時間が収集され、DRX傍受周期の長さが周期リストに記録され、DRX傍受時間が時間リストに記録される。DRX傍受周期の長さは、回線交換ページングを実行する周期の長さであり、DRX傍受時間は、回線交換ページングの開始時間である。DRX傍受周期の長さ及びDRX傍受時間は、移動電話の登録中に基地局と交渉することにより取得され、移動電話に格納される点に留意すべきである。
【００５７】
更に、本発明においてハートビート動作を同期させる方法の第４の実施例によれば、第２の実施例又は第３の実施例に基づいて、ステップ203に記載の２つの特定の実施方法が以下のようになる。
【００５８】
第１に、ルーティングエリアアップデートのアップデート時間がロケーションエリアアップデートのアップデート時間より遅い場合、時間リストの周期的なルーティングエリアアップデートのアップデート時間TKRとハートビート周期Tbasicと予め設定された倍数Kとに従って、ハートビート動作の第１の同期時間T1startを取得するために、以下の式(1)を使用する。
T1start=TKR+K*Tbasic      (1)
【００５９】
第２に、ロケーションエリアアップデートのアップデート時間がルーティングエリアアップデートのアップデート時間より遅い場合、時間リストの周期的なロケーションエリアアップデートのアップデート時間TKLとハートビート周期Tbasicと予め設定された倍数Kとに従って、ハートビート動作の第１の同期時間T1startを取得するために、以下の式(2)を使用する。
T1start=TKL+K*Tbasic      (2)
ただし、Kは1以上の整数である。
【００６０】
好ましくは、ハートビート動作を同期させる装置の電力消費を更に低減する目的で、周期リストは、周辺セルリストの各セルのBCCHにアクセスする周期の長さを更に含み、時間リストは、周辺セルリストの各セルのBCCHにアクセスするアップデート時間を更に含む。この方法は、周期リストと予め設定された倍数と上りリンクハートビート動作の周期の長さとに従って、下りリンクハートビート動作の周期の長さを設定するステップと、時間リストにおける周辺セルリストの各セルのBCCHにアクセスするアップデート時間を問い合わせ、周辺セルリストに最後に追加されたセルのBCCHにアクセスするアップデート時間TKnを取得し、周辺セルリストに最後に追加されたセルのBCCHにアクセスするアップデート時間TKnとハートビート周期Tbasicと予め設定された倍数Kとに従って、ハートビート動作の第２の同期時間T2startを取得するために、式(3)を使用するステップと、
T2start=TKn+K*Tbasic      (3)
ハートビート動作の第２の同期時間からの周期として、下りリンクハートビート動作の周期の長さを使用することにより、周辺セルリストの全てのセルのBCCHにアクセスするステップとを更に含む。ただし、Kは1以上の整数である。
【００６１】
更に、周期リストと予め設定された倍数と上りリンクハートビート動作の周期の長さとに従って、下りリンクハートビート動作の周期の長さを設定する実施方法は、特に以下のようになってもよい。
【００６２】
周期リストにおける周辺セルリストの各セルのBCCHにアクセスする周期の長さと予め設定された倍数Kとに従って、第１の周期の長さTDを取得するために、式(4)を使用する。
TD=K*max(T1,...,Tn)      (4)
【００６３】
上りリンクハートビート動作の周期の長さが第１の周期の長さ以上である場合、下りリンクハートビート動作の周期の長さとして、第１の周期の長さを設定する。
【００６４】
上りリンクハートビート動作の周期の長さが第１の周期の長さ未満である場合、下りリンクハートビート動作の周期の長さとして、上りリンクハートビート動作の周期の長さを設定する。ただし、T1は第１のセルのBCCHにアクセスする周期の長さを示し、Tnは第nのセルのBCCHにアクセスする周期の長さを示し、nは1以上の整数である。
【００６５】
セルのBCCHにアクセスすることは、下りリンクハートビート動作であるため、この実施例では、下りリンクハートビート動作の周期の長さのみがセルのBCCHへのアクセスに関して考慮される点に留意すべきである。下りリンクは、基地局からハートビート動作を同期させる装置への方向である。
【００６６】
更に好ましくは、ハートビート動作を同期させる装置の電力消費を更に増加させるために、この方法は、第３の同期時間からの周期として、第２のハートビート動作の周期の長さを使用することにより、同期してロケーションエリアアップデート及びルーティングエリアアップデートを実行し、周辺セルリストの全てのセルのBCCHにアクセスするステップを更に含んでもよい。ただし、第２のハートビート動作の周期の長さは、下りリンクハートビート動作の周期の長さのm倍であり、下りリンクハートビート動作の周期の長さのm倍は、上りリンクハートビート動作の周期の長さ未満であり、下りリンクハートビート動作の周期の長さのm+1倍は、上りリンクハートビート動作の周期の長さより大きく、mは1以上の整数である。
【００６７】
第１の同期時間が第２の同期時間より遅い場合、第３の同期時間は第１の同期時間であり、或いは、第２の同期時間が第１の同期時間より遅い場合、第３の同期時間は第２の同期時間である点に留意すべきである。
【００６８】
この実施例によれば、それぞれロケーションエリアアップデート及びルーティングエリアアップデートを実行し、周辺セルリストの全てのセルのBCCHにアクセスするアップデート時間及びハートビート動作は、３つの種類のハートビート動作を完了するために１つのリンク確立動作及び１つの下りリンク切断動作のみを実施するように同期され、更に、ハートビート動作を同期させる装置の電力消費が効果的に低減される。
【００６９】
図３は、本発明の第５の実施例に従ってハートビート動作を同期させる方法のフローチャートである。この実施例によれば、周辺セルリストの各セルのBCCHにアクセスする周期の長さを含む周期リストと、周辺セルリストの各セルのBCCHにアクセスするアップデート時間を含む時間リストとが、この実施例の詳細な技術的対策を説明する例として使用される。図３に示すように、この実施例の実施対象は、ハートビート動作を同期させる装置である。この方法は、以下のステップを含む。
【００７０】
ステップ301：周期リスト及び時間リストを取得する。周期リストは、周辺セルリストの各セルのBCCHにアクセスする周期の長さを含み、時間リストは、周辺セルリストの各セルのBCCHにアクセスするアップデート時間を含む。
【００７１】
ステップ302：予め設定された倍数Kと、周期リストにおける周辺セルリストの各セルのBCCHにアクセスする周期の長さとに従って、第１の周期の長さTDを取得するために、式(4)を使用し、下りリンクハートビート動作の周期の長さとして第１の周期の長さTDを設定する。
TD=K*max(T1,...,Tn)      (4)
【００７２】
ステップ303：時間リストにおける周辺セルリストの各セルのBCCHにアクセスする周期の長さを問い合わせ、周辺セルリストに最後に追加されたセルのBCCHにアクセスするアップデート時間TKnを取得し、周辺セルリストに最後に追加されたセルのBCCHにアクセスするアップデート時間TKnとハートビート周期Tbasicと予め設定された倍数Kとに従って、ハートビート動作の第２の同期時間T2startを取得するために、式(3)を使用する。
T2start=TKn+K*Tbasic      (3)
【００７３】
この実施例によれば、ハートビート周期は、ハートビート動作を同期させる装置のタイマを使用することにより設定されてもよく、ハートビートの起動時間（すなわち、ハートビート動作を同期させる装置の起動時間）もまた、タイマを使用することにより設定されてもよい。ハートビート周期は、ハートビートの１つの起動時間とハートビートの次の起動時間との間の時間の長さである。
【００７４】
ステップ304：ハートビート動作の第２の同期時間からの周期として、下りリンクハートビート動作の周期の長さを使用することにより、周辺セルリストの全てのセルのBCCHにアクセスする。Kは1以上の整数である。
【００７５】
この実施例によれば、まず、下りリンクハートビート動作の周期の長さは、予め設定された倍数と、周期リストにおける周辺セルリストの各セルのBCCHにアクセスする周期の長さとに従って取得される。次に、ハートビート動作の第２の同期時間は、時間リストにおける周辺セルリストの各セルのBCCHにアクセスするアップデート時間と、ハートビート周期と、予め設定された倍数とに従って取得される。最後に、周辺セルリストの全てのセルのBCCHは、ハートビート動作の第２の同期時間からの周期として、下りリンクハートビート動作の周期の長さを使用することによりアクセスされる。このように、従来技術における周辺セルリストの各セルのBCCHに同期してアクセスする問題が解決され、更に、ハートビート動作を同期させる装置の電力消費が効果的に低減される。
【００７６】
更に、本発明においてハートビート動作を同期させる方法の第６の実施例によれば、図３に示す実施例に基づいて、ハートビート動作を同期させる装置の電力消費を更に低減する目的で、周期リストは、DRX傍受（受信）周期の長さを含み、時間リストはDRX傍受時間を含む。この方法は、ハートビート周期としてDRX傍受周期の長さを設定し、ハートビートの起動時間としてDRX傍受時間を設定するステップを更に含む。
【００７７】
この実施例によれば、DRX傍受周期の長さ及びDRX傍受時間は一定であるため、DRX傍受周期の長さ及びDRX傍受時間は、それぞれハートビート周期及びハートビートの起動時間として使用されてもよい。更に、特に、DRX傍受周期の長さ及びDRX傍受時間が収集され、DRX傍受周期の長さが周期リストに記録され、DRX傍受時間が時間リストに記録される。DRX傍受周期の長さは、回線交換ページングを実行する周期の長さであり、DRX傍受時間は、回線交換ページングの開始時間である。DRX傍受周期の長さ及びDRX傍受時間は、移動電話の登録中に基地局と交渉することにより取得され、移動電話に格納される点に留意すべきである。
【００７８】
更に、本発明においてハートビート動作を同期させる方法の第７の実施例によれば、第５の実施例又は第６の実施例に基づいて、ハートビート動作を同期させる装置の電力消費を更に低減する目的で、周期リストは、周期的なロケーションエリアアップデートの周期の長さと、周期的なルーティングエリアアップデートの周期の長さとを含み、時間リストは、周期的なロケーションエリアアップデートのアップデート時間と、周期的なルーティングエリアアップデートのアップデート時間とを含む。この方法は、上りリンクハートビート動作の周期の長さとして、周期的なロケーションエリアアップデートのアップデート時間又は周期的なルーティングエリアアップデートのアップデート時間を設定するステップと、時間リストにおける周期的なロケーションエリアアップデートのアップデート時間及び周期的なルーティングエリアアップデートのアップデート時間と、ハートビート周期と、予め設定された倍数とに従って、ハートビート動作の第１の同期時間を取得するステップと、ハートビート動作の第１の同期時間からの周期として、上りリンクハートビート動作の周期の長さを使用することにより、同期してロケーションエリアアップデート及びルーティングエリアアップデートを実行するステップとを更に含む。
【００７９】
この実施例によれば、全てのセルのBCCHにアクセスする同期が実施された場合、ロケーションエリアアップデートとルーティングエリアアップデートとの間の同期が更に実施された場合には、ハートビート動作を同期させる装置の電力消費が更に効果的に低減される。
【００８０】
好ましくは、時間リストとハートビート周期と予め設定された倍数とに従ってハートビート動作の第１の同期時間を取得するステップは、主に以下の２つの特定の実施方法を含む。
【００８１】
ルーティングエリアアップデートのアップデート時間がロケーションエリアアップデートのアップデート時間より遅い場合、時間リストの周期的なルーティングエリアアップデートのアップデート時間TKRとハートビート周期Tbasicと予め設定された倍数Kとに従って、ハートビート動作の第１の同期時間T1startを取得するために、以下の式(1)を使用する。
T1start=TKR+K*Tbasic      (1)
【００８２】
ロケーションエリアアップデートのアップデート時間がルーティングエリアアップデートのアップデート時間より遅い場合、時間リストの周期的なロケーションエリアアップデートのアップデート時間TKLとハートビート周期Tbasicと予め設定された倍数Kとに従って、ハートビート動作の第１の同期時間T1startを取得するために、以下の式(2)を使用する。
T1start=TKL+K*Tbasic      (2)
ただし、Kは1以上の整数である。
【００８３】
更に好ましくは、ステップ302の１つの特定の実施方法は以下のようになる。
【００８４】
周期リストにおける周辺セルリストの各セルのBCCHにアクセスする周期の長さと予め設定された倍数Kとに従って、第１の周期の長さTDを取得するために、式(4)を使用する。
TD=K*max(T1,...,Tn)      (4)
【００８５】
上りリンクハートビート動作の周期の長さが第１の周期の長さ以上である場合、下りリンクハートビート動作の周期の長さとして、第１の周期の長さTDを設定する。
【００８６】
更に、上りリンクハートビート動作の周期の長さが第１の周期の長さ未満である場合、下りリンクハートビート動作の周期の長さとして、上りリンクハートビート動作の周期の長さを設定する点に留意すべきである。
【００８７】
ハートビート動作を同期させる装置の電力消費を更に低減するために、この方法は、上りリンクハートビート動作の周期の長さが下りリンクハートビート動作の周期の長さ以上である場合、第３の同期時間からの周期として、第２のハートビート動作の周期の長さを使用することにより、同期してロケーションエリアアップデート及びルーティングエリアアップデートを実行し、周辺セルリストの全てのセルのBCCHにアクセスするステップを更に含んでもよい。ただし、第２のハートビート動作の周期の長さは、下りリンクハートビート動作の周期の長さのm倍であり、下りリンクハートビート動作の周期の長さのm倍は、上りリンクハートビート動作の周期の長さ未満であり、下りリンクハートビート動作の周期の長さのm+1倍は、上りリンクハートビート動作の周期の長さより大きく、mは1以上の整数である。この方法は、上りリンクハートビート動作の周期の長さが下りリンクハートビート動作の周期の長さ未満である場合、第３の同期時間からの周期として、上りリンクハートビート動作の周期の長さを使用することにより、同期してロケーションエリアアップデート及びルーティングエリアアップデートを実行し、周辺セルリストの全てのセルのBCCHにアクセスするステップを更に含んでもよい。
【００８８】
第１の同期時間が第２の同期時間より遅い場合、第３の同期時間は第１の同期時間であり、或いは、第２の同期時間が第１の同期時間より遅い場合、第３の同期時間は第２の同期時間である点に留意すべきである。
【００８９】
図４は、本発明の第８の実施例に従ってハートビート動作を同期させる方法のフローチャートである。この実施例によれば、周期的なロケーションエリアアップデートの周期の長さ及び周辺セルリストの各セルのBCCHにアクセスする周期の長さを含む周期リストと、周期的なロケーションエリアアップデートのアップデート時間及び周辺セルリストの各セルのBCCHにアクセスするアップデート時間を含む時間リストとが、この実施例の詳細な技術的対策を説明する例として使用される。図４に示すように、この実施例の実施対象は、ハートビート動作を同期させる装置である。この方法は、以下のステップを含む。
【００９０】
ステップ401：周期リスト及び時間リストを取得する。周期リストは、周期的なロケーションエリアアップデートの周期の長さと、周辺セルリストの各セルのBCCHにアクセスする周期の長さとを含み、時間リストは、周期的なロケーションエリアアップデートのアップデート時間と、周辺セルリストの各セルのBCCHにアクセスするアップデート時間とを含む。
【００９１】
ステップ402：上りリンクハートビート動作の周期の長さとして、周期的なロケーションエリアアップデートの周期の長さを設定する。
【００９２】
ステップ403：予め設定された倍数Kと、周期リストにおける周辺セルリストの各セルのBCCHにアクセスする周期の長さとに従って、第１の周期の長さTDを取得するために、式(4)を使用し、下りリンクハートビート動作の周期の長さとして、第１の周期の長さTDを設定する。
TD=K*max(T1,...,Tn)      (4)
【００９３】
ステップ404：時間リストの周期的なロケーションエリアアップデートのアップデート時間TKLとハートビート周期Tbasicと予め設定された倍数Kとに従って、第１の同期時間T1startを取得するために、以下の式(2)を使用する。
T1start=TKL+K*Tbasic      (2)
【００９４】
ステップ405：時間リストにおける周辺セルリストの各セルのBCCHにアクセスする周期の長さを問い合わせ、周辺セルリストに最後に追加されたセルのBCCHにアクセスするアップデート時間TKnを取得し、周辺セルリストに最後に追加されたセルのBCCHにアクセスするアップデート時間TKnとハートビート周期Tbasicと予め設定された倍数Kとに従って、第２の同期時間T2startを取得するために、式(3)を使用し、ステップ406又は407を実行する。
T2start=TKn+K*Tbasic      (3)
ただし、Kは1以上の整数である。
【００９５】
この実施例によれば、ハートビート周期は、ハートビート動作を同期させる装置のタイマを使用することにより設定されてもよく、ハートビートの起動時間（すなわち、ハートビート動作を同期させる装置の起動時間）もまた、タイマを使用することにより設定されてもよい。ハートビート周期は、ハートビートの１つの起動時間とハートビートの次の起動時間との間の時間の長さである。
【００９６】
ステップ406：上りリンクハートビート動作の周期の長さが下りリンクハートビート動作の周期の長さ以上である場合、第３の同期時間からの周期として、第２のハートビート動作の周期の長さを使用することにより、同期してロケーションエリアアップデート及びルーティングエリアアップデートを実行し、周辺セルリストの全てのセルのBCCHにアクセスする。ただし、第２のハートビート動作の周期の長さは、下りリンクハートビート動作の周期の長さのm倍であり、下りリンクハートビート動作の周期の長さのm倍は、上りリンクハートビート動作の周期の長さ未満であり、下りリンクハートビート動作の周期の長さのm+1倍は、上りリンクハートビート動作の周期の長さより大きく、mは1以上の整数である。手順は終了する。
【００９７】
ステップ407：上りリンクハートビート動作の周期の長さが下りリンクハートビート動作の周期の長さ未満である場合、第３の同期時間からの周期として、上りリンクハートビート動作の周期の長さを使用することにより、同期してロケーションエリアアップデート及びルーティングエリアアップデートを実行し、周辺セルリストの全てのセルのBCCHにアクセスする。手順は終了する。
【００９８】
第１の同期時間が第２の同期時間より遅い場合、第３の同期時間は第１の同期時間であり、或いは、第２の同期時間が第１の同期時間より遅い場合、第３の同期時間は第２の同期時間である点に留意すべきである。
【００９９】
この実施例によれば、まず、周期的なロケーションエリアアップデートの周期の長さは、上りリンクハートビート動作の周期の長さとして設定され、下りリンクハートビート動作の周期の長さは、予め設定された倍数と、周期リストにおける周辺セルリストの各セルのBCCHにアクセスする周期の長さとに従って取得される。次に、第１の同期時間は、時間リストにおける周期的なロケーションエリアアップデートのアップデート時間と、ハートビート周期と、予め設定された倍数とに従って取得され、第２の同期時間は、時間リストにおける周辺セルリストの各セルのBCCHにアクセスするアップデート時間と、ハートビート周期と、予め設定された倍数とに従って取得される。最後に、周辺セルリストの全てのセルのBCCHへのアクセスと、ロケーションエリアアップデートとは、第１の同期時間又は第２の同期時間からの周期として、第２のハートビート動作の周期の長さ又は上りリンクハートビート動作の周期の長さを使用することにより、同期して実行される。このように、ハートビート動作を同期させる装置の電力消費が効果的に低減される。
【０１００】
更に、本発明においてハートビート動作を同期させる方法の第９の実施例によれば、図４に示す実施例に基づいて、ハートビート動作を同期させる装置の電力消費を更に低減する目的で、周期リストは、DRX傍受（受信）周期の長さを含み、時間リストはDRX傍受時間を含む。この方法は、ハートビート周期としてDRX傍受周期の長さを設定し、ハートビートの起動時間としてDRX傍受時間を設定するステップを更に含む。
【０１０１】
この実施例によれば、DRX傍受周期の長さ及びDRX傍受時間は一定であるため、DRX傍受周期の長さ及びDRX傍受時間は、それぞれハートビート周期及びハートビートの起動時間として使用されてもよい。更に、特に、DRX傍受周期の長さ及びDRX傍受時間が収集され、DRX傍受周期の長さが周期リストに記録され、DRX傍受時間が時間リストに記録される。DRX傍受周期の長さは、回線交換ページングを実行する周期の長さであり、DRX傍受時間は、回線交換ページングの開始時間である。DRX傍受周期の長さ及びDRX傍受時間は、移動電話の登録中に基地局と交渉することにより取得され、移動電話に格納される点に留意すべきである。
【０１０２】
図５は、本発明の第１０の実施例に従ってハートビート動作を同期させる方法のフローチャートである。この実施例によれば、周期的なルーティングエリアアップデートの周期の長さ及び周辺セルリストの各セルのBCCHにアクセスする周期の長さを含む周期リストと、周期的なルーティングエリアアップデートのアップデート時間及び周辺セルリストの各セルのBCCHにアクセスするアップデート時間を含む時間リストとが、この実施例の詳細な技術的対策を説明する例として使用される。図５に示すように、この実施例の実施対象は、ハートビート動作を同期させる装置である。この方法は、以下のステップを含む。
【０１０３】
ステップ501：周期リスト及び時間リストを取得する。周期リストは、周期的なルーティングエリアアップデートの周期の長さと、周辺セルリストの各セルのBCCHにアクセスする周期の長さとを含み、時間リストは、周期的なルーティングエリアアップデートのアップデート時間と、周辺セルリストの各セルのBCCHにアクセスするアップデート時間とを含む。
【０１０４】
ステップ502：上りリンクハートビート動作の周期の長さとして、周期的なルーティングエリアアップデートの周期の長さを設定する。
【０１０５】
ステップ503：予め設定された倍数Kと、周期リストにおける周辺セルリストの各セルのBCCHにアクセスする周期の長さとに従って、第１の周期の長さTDを取得するために、式(4)を使用し、下りリンクハートビート動作の周期の長さとして、第１の周期の長さTDを設定する。
TD=K*max(T1,...,Tn)      (4)
【０１０６】
ステップ504：時間リストの周期的なルーティングエリアアップデートのアップデート時間TKRとハートビート周期Tbasicと予め設定された倍数Kとに従って、第１の同期時間T1startを取得するために、以下の式(2)を使用する。
T1start=TKR+K*Tbasic      (2)
【０１０７】
ステップ505：時間リストにおける周辺セルリストの各セルのBCCHにアクセスする周期の長さを問い合わせ、周辺セルリストに最後に追加されたセルのBCCHにアクセスするアップデート時間TKnを取得し、周辺セルリストに最後に追加されたセルのBCCHにアクセスするアップデート時間TKnとハートビート周期Tbasicと予め設定された倍数Kとに従って、第２の同期時間T2startを取得するために、式(3)を使用し、ステップ506又は507を実行する。
T2start=TKn+K*Tbasic      (3)
ただし、Kは1以上の整数である。
【０１０８】
この実施例によれば、ハートビート周期は、ハートビート動作を同期させる装置のタイマを使用することにより設定されてもよく、ハートビートの起動時間（すなわち、ハートビート動作を同期させる装置の起動時間）もまた、タイマを使用することにより設定されてもよい。ハートビート周期は、ハートビートの１つの起動時間とハートビートの次の起動時間との間の時間の長さである。
【０１０９】
ステップ506：上りリンクハートビート動作の周期の長さが下りリンクハートビート動作の周期の長さ以上である場合、第３の同期時間からの周期として、第２のハートビート動作の周期の長さを使用することにより、同期してロケーションエリアアップデート及びルーティングエリアアップデートを実行し、周辺セルリストの全てのセルのBCCHにアクセスする。ただし、第２のハートビート動作の周期の長さは、下りリンクハートビート動作の周期の長さのm倍であり、下りリンクハートビート動作の周期の長さのm倍は、上りリンクハートビート動作の周期の長さ未満であり、下りリンクハートビート動作の周期の長さのm+1倍は、上りリンクハートビート動作の周期の長さより大きく、mは1以上の整数である。手順は終了する。
【０１１０】
ステップ507：上りリンクハートビート動作の周期の長さが下りリンクハートビート動作の周期の長さ未満である場合、第３の同期時間からの周期として、上りリンクハートビート動作の周期の長さを使用することにより、同期してロケーションエリアアップデート及びルーティングエリアアップデートを実行し、周辺セルリストの全てのセルのBCCHにアクセスする。手順は終了する。
【０１１１】
第１の同期時間が第２の同期時間より遅い場合、第３の同期時間は第１の同期時間であり、或いは、第２の同期時間が第１の同期時間より遅い場合、第３の同期時間は第２の同期時間である点に留意すべきである。
【０１１２】
この実施例によれば、まず、周期的なルーティングエリアアップデートの周期の長さは、上りリンクハートビート動作の周期の長さとして設定され、下りリンクハートビート動作の周期の長さは、予め設定された倍数と、周期リストにおける周辺セルリストの各セルのBCCHにアクセスする周期の長さとに従って取得される。次に、第１の同期時間は、時間リストにおける周期的なルーティングエリアアップデートのアップデート時間と、ハートビート周期と、予め設定された倍数とに従って取得され、第２の同期時間は、時間リストにおける周辺セルリストの各セルのBCCHにアクセスするアップデート時間と、ハートビート周期と、予め設定された倍数とに従って取得される。最後に、周辺セルリストの全てのセルのBCCHへのアクセスと、ルーティングエリアアップデートとは、第１の同期時間又は第２の同期時間からの周期として、第２のハートビート動作の周期の長さ又は上りリンクハートビート動作の周期の長さを使用することにより、同期して実行される。このように、ハートビート動作を同期させる装置の電力消費が効果的に低減される。
【０１１３】
更に、本発明においてハートビート動作を同期させる方法の第１１の実施例によれば、図５に示す実施例に基づいて、ハートビート動作を同期させる装置の電力消費を更に低減する目的で、周期リストは、DRX傍受（受信）周期の長さを含み、時間リストはDRX傍受時間を含む。この方法は、ハートビート周期としてDRX傍受周期の長さを設定し、ハートビートの起動時間としてDRX傍受時間を設定するステップを更に含む。
【０１１４】
この実施例によれば、DRX傍受周期の長さ及びDRX傍受時間は一定であるため、DRX傍受周期の長さ及びDRX傍受時間は、それぞれハートビート周期及びハートビートの起動時間として使用されてもよい。更に、特に、DRX傍受周期の長さ及びDRX傍受時間が収集され、DRX傍受周期の長さが周期リストに記録され、DRX傍受時間が時間リストに記録される。DRX傍受周期の長さは、回線交換ページングを実行する周期の長さであり、DRX傍受時間は、回線交換ページングの開始時間である。DRX傍受周期の長さ及びDRX傍受時間は、移動電話の登録中に基地局と交渉することにより取得され、移動電話に格納される点に留意すべきである。
【０１１５】
図６は、本発明の第１２の実施例に従ってハートビート動作を同期させる方法のフローチャートである。この実施例によれば、周期的なロケーションエリアアップデートの周期の長さ及びDRX傍受周期の長さを含む周期リストと、周期的なロケーションエリアアップデートのアップデート時間及びDRX傍受時間を含む時間リストとが、この実施例の詳細な技術的対策を説明する例として使用される。図６に示すように、この実施例で提供される方法は、以下のステップを含む。
【０１１６】
ステップ601：周期リスト及び時間リストを取得する。周期リストは、周期的なロケーションエリアアップデートの周期の長さと、DRX傍受周期の長さとを含み、時間リストは、周期的なロケーションエリアアップデートのアップデート時間と、DRX傍受時間とを含む。
【０１１７】
ステップ602：上りリンクハートビート動作の周期の長さとして、周期的なロケーションエリアアップデートの周期の長さを設定する。
【０１１８】
ステップ603：時間リストの周期的なロケーションエリアアップデートのアップデート時間TKLとハートビート周期Tbasicと予め設定された倍数Kとに従って、第１の同期時間T1startを取得するために、以下の式(2)を使用する。
T1start=TKL+K*Tbasic      (2)
【０１１９】
ステップ604：第１の同期時間からの周期として、上りリンクハートビート動作の周期の長さを使用することにより、ロケーションエリアアップデートを実行する。ただし、DRX傍受周期の長さは、ハートビート周期として設定され、DRX傍受時間は、ハートビートの起動時間として設定される。
【０１２０】
この実施例によれば、DRX傍受周期の長さ及びDRX傍受時間は一定であるため、DRX傍受周期の長さ及びDRX傍受時間は、それぞれハートビート周期及びハートビートの起動時間として使用されてもよい。更に、特に、DRX傍受周期の長さ及びDRX傍受時間が収集され、DRX傍受周期の長さが周期リストに記録され、DRX傍受時間が時間リストに記録される。DRX傍受周期の長さは、回線交換ページングを実行する周期の長さであり、DRX傍受時間は、回線交換ページングの開始時間である。DRX傍受周期の長さ及びDRX傍受時間は、移動電話の登録中に基地局と交渉することにより取得され、移動電話に格納される点に留意すべきである。
【０１２１】
この実施例によれば、まず、周期的なロケーションエリアアップデートの周期の長さは、上りリンクハートビート動作の周期の長さとして設定される。次に、第１の同期時間は、時間リストにおける周期的なロケーションエリアアップデートのアップデート時間と、ハートビート周期と、予め設定された倍数とに従って取得される。最後に、ロケーションエリアアップデートは、第１の同期時間からの周期として、上りリンクハートビート動作の周期の長さを使用することにより実行され、DRX傍受周期の長さは、ハートビート周期として設定され、DRX傍受時間は、ハートビートの起動時間として設定される。このように、回線交換ページング及びロケーションエリアアップデートが同期して実行されてもよく、ハートビート動作を同期させる装置の電力消費が効果的に低減される。
【０１２２】
図７は、本発明の第１３の実施例に従ってハートビート動作を同期させる方法のフローチャートである。この実施例によれば、周期的なルーティングエリアアップデートの周期の長さ及びDRX傍受周期の長さを含む周期リストと、周期的なルーティングエリアアップデートのアップデート時間及びDRX傍受時間を含む時間リストとが、この実施例の詳細な技術的対策を説明する例として使用される。図７に示すように、この実施例で提供される方法は、以下のステップを含む。
【０１２３】
ステップ701：周期リスト及び時間リストを取得する。周期リストは、周期的なルーティングエリアアップデートの周期の長さと、DRX傍受周期の長さとを含み、時間リストは、周期的なルーティングエリアアップデートのアップデート時間と、DRX傍受時間とを含む。
【０１２４】
ステップ702：上りリンクハートビート動作の周期の長さとして、周期的なルーティングエリアアップデートの周期の長さを設定する。
【０１２５】
ステップ703：時間リストの周期的なルーティングエリアアップデートのアップデート時間TKRとハートビート周期Tbasicと予め設定された倍数Kとに従って、第１の同期時間T1startを取得するために、以下の式(2)を使用する。
T1start=TKR+K*Tbasic      (2)
【０１２６】
ステップ704：第１の同期時間からの周期として、上りリンクハートビート動作の周期の長さを使用することにより、ロケーションエリアアップデートを実行する。ただし、DRX傍受周期の長さは、ハートビート周期として設定され、DRX傍受時間は、ハートビートの起動時間として設定される。
【０１２７】
この実施例によれば、DRX傍受周期の長さ及びDRX傍受時間は一定であるため、DRX傍受周期の長さ及びDRX傍受時間は、それぞれハートビート周期及びハートビートの起動時間として使用されてもよい。更に、特に、DRX傍受周期の長さ及びDRX傍受時間が収集され、DRX傍受周期の長さが周期リストに記録され、DRX傍受時間が時間リストに記録される。DRX傍受周期の長さは、回線交換ページングを実行する周期の長さであり、DRX傍受時間は、回線交換ページングの開始時間である。DRX傍受周期の長さ及びDRX傍受時間は、移動電話の登録中に基地局と交渉することにより取得され、移動電話に格納される点に留意すべきである。
【０１２８】
この実施例によれば、まず、周期的なルーティングエリアアップデートの周期の長さは、上りリンクハートビート動作の周期の長さとして設定される。次に、第１の同期時間は、時間リストにおける周期的なルーティングエリアアップデートのアップデート時間と、ハートビート周期と、予め設定された倍数とに従って取得される。最後に、ルーティングエリアアップデートは、第１の同期時間からの周期として、上りリンクハートビート動作の周期の長さを使用することにより実行され、DRX傍受周期の長さは、ハートビート周期として設定され、DRX傍受時間は、ハートビートの起動時間として設定される。このように、回線交換ページング及びルーティングエリアアップデートが同期して実行されてもよく、ハートビート動作を同期させる装置の電力消費が効果的に低減される。
【０１２９】
図８は、本発明の第１４の実施例に従ってハートビート動作を同期させる方法のフローチャートである。この実施例によれば、主にルーティングエリアアップデートのアップデート時間がロケーションエリアアップデートのアップデート時間より遅い回線交換ドメインが、この実施例の詳細な技術的対策を説明する例として使用される。図８に示すように、この実施例の実施対象は、ハートビート動作を同期させる装置である。この方法は、以下のステップを含む。
【０１３０】
ステップ801：周期リスト及び時間リストを取得する。周期リストは、周期的なロケーションエリアアップデートの周期の長さと、周期的なルーティングエリアアップデートの周期の長さと、周辺セルリストの各セルのBCCHにアクセスする周期の長さと、DRX傍受周期の長さとを含み、時間リストは、周期的なロケーションエリアアップデートのアップデート時間と、周期的なルーティングエリアアップデートのアップデート時間と、各セルのBCCHにアクセスするアップデート時間と、DRX傍受時間とを含む。
【０１３１】
例えば、周期リストが表１に示される。
【表１】
2013530647.tif 000003
【０１３２】
時間リストが表２に示される。
【表２】
2013530647.tif 000004
【０１３３】
ステップ802：上りリンクハートビート動作の周期の長さとして、周期リストの周期的なロケーションエリアアップデートの周期の長さを設定する。
【０１３４】
ステップ803：周期リストにおける周辺セルリストの各セルのBCCHにアクセスする周期の長さと予め設定された倍数Kとに従って、第１の周期の長さTDを取得するために、式(4)を使用する。
TD=K*max(T1,...,Tn)      (4)
【０１３５】
ただし、T1は第１のセルのBCCHにアクセスする周期の長さを示し、Tnは第nのセルのBCCHにアクセスする周期の長さを示し、nは1以上の整数であり、Kは1以上の整数である。
【０１３６】
この実施例によれば、予め設定された倍数Kは、ネットワーク環境に従って予め設定されてもよい。ネットワーク環境は、信号強度、信号対雑音比等についての情報でもよい。例えば、信号が強いほど、予め設定された倍数は大きい。
【０１３７】
ステップ804：上りリンクハートビート動作の周期の長さが第１の周期の長さより大きいか否かを判定する。上りリンクハートビート動作の周期の長さが第１の周期の長さ以上である場合、ステップ805を実行する。上りリンクハートビート動作の周期の長さが第１の周期の長さ未満である場合、ステップ806を実行する。
【０１３８】
ステップ805：下りリンクハートビート動作の周期の長さとして第１の周期の長さを設定し、ステップ807を実行する。
【０１３９】
ステップ806：下りリンクハートビート動作の周期の長さとして上りリンクハートビート動作の周期の長さを設定し、ステップ807を実行する。
【０１４０】
ステップ807：時間リストの周期的なルーティングエリアアップデートのアップデート時間TKRとハートビート周期Tbasicと予め設定された倍数Kとに従って、第１の同期時間T1startを取得するために式(1)を使用する。
T1start=TKR+K*Tbasic      (1)
【０１４１】
ステップ808：時間リストとDRX傍受周期の長さTbasicと予め設定された倍数とに従って、第２の同期時間T2startを取得するために、式(3)を使用する。
T2start=TKn+K*Tbasic      (3)
ただし、TKnは周辺セルリストに最後に追加されたセルのBCCHにアクセスするアップデート時間である。
【０１４２】
ステップ809：第３の同期時間からの周期として、第２のハートビート動作の周期の長さを使用することにより、同期してロケーションエリアアップデート及びルーティングエリアアップデートを実行し、周辺セルリストの全てのセルのBCCHにアクセスする。ただし、第２のハートビート動作の周期の長さは、下りリンクハートビート動作の周期の長さのm倍であり、下りリンクハートビート動作の周期の長さのm倍は、上りリンクハートビート動作の周期の長さ未満であり、下りリンクハートビート動作の周期の長さのm+1倍は、上りリンクハートビート動作の周期の長さより大きく、mは1以上の整数である。
【０１４３】
上りリンクハートビート動作の周期の長さ及び下りリンクハートビート動作の周期の長さのハートビート周期は、DRX傍受周期の長さであり、ハートビートの起動時間は、DRX傍受時間である。
【０１４４】
第１の同期時間が第２の同期時間より遅い場合、第３の同期時間は第１の同期時間であり、或いは、第２の同期時間が第１の同期時間より遅い場合、第３の同期時間は第２の同期時間である点に留意すべきである。
【０１４５】
この実施例によれば、３つの種類のハートビート動作は同じ同期時間（すなわち、第３の同期時間）にアップデートされ、１つのハートビート周期の間隔に同期してアップデートされてもよい。従って、３つの種類のハートビート動作の同期が実施される。
【０１４６】
この実施例に従って、図９ａは、従来技術における移動電話により実行されるハートビート動作の効果を示しており、図９ｂは、本発明の実施例に従って移動電話により実行されるハートビート動作の効果を示している。図９ａ及び図９ｂに示すように、横軸は時間軸を表し、縦軸は電力軸（例えば、電流の強さ）を表す。図９ａによれば、TKbasicはハートビート動作を同期させる装置のハートビート起動時間であり、Tbasicはハートビート動作を同期させる装置のハートビート周期（すなわち、１つのTKbasicから次のTKbasicまでの時間の長さ）である。更に、TKLにおいて、ロケーションエリアアップデートを実施するために、リンクを確立してリンクを切断する必要があり、TKRにおいて、ルーティングエリアアップデートを実施するために、再びリンクを確立してリンクを切断する必要がある。TK1において、これはTKbasicではないため、ハートビート動作を同期させる装置を起動する必要があり、第１のセルのBCCHにアクセスするために、もう一度リンクを確立してリンクを切断する必要がある。TK2からTKnまでの如何なる時間において、実施原理はTK1の実施原理と同じであるため、ここでは再び説明しない点に留意すべきである。図９ｂによれば、TKbasicはハートビート動作を同期させる装置のハートビート起動時間であり、Tbasicはハートビート動作を同期させる装置のハートビート周期（すなわち、１つのTKbasicから次のTKbasicまでの時間の長さ）である。第３の同期時間において、ロケーションエリアアップデートとルーティングエリアアップデートと回線交換ページングとを実施し、周辺セルリストの各セルのBCCHにアクセスするために、リンクを確立してリンクを切断しさえすればよい。従って、３つの種類のハートビート動作が効果的に統合される。更に、図９ｂに示すように、左から右に、第２のハートビートの起動時間（すなわち、前述の実施例に記載の第１の時間）において、第３の同期時間（すなわち、前述の実施例に記載の同期時間）は、第２のハートビート動作の起動時間に一致し、第３の同期時間は、第２のハートビートの起動時間からの第２のハートビート動作の周期の長さ（すなわち、前述の実施例に記載のハートビート動作の周期の長さ）の間隔においてハートビートの起動時間に一致する点に留意すべきである。
【０１４７】
図１０は、本発明の第１の実施例に従ってハートビート動作を同期させる装置の概略構成図である。図１０に示すように、この実施例によれば、ハートビート動作を同期させる装置は、リスト取得モジュール11と、周期長取得モジュール12と、同期時間取得モジュール13と、同期モジュール14とを含む。特に、リスト取得モジュール11は、周期リスト及び時間リストを取得するように構成される。周期長取得モジュール12は、リスト取得モジュール11により取得された周期リストに従ってハートビート動作の周期の長さを取得するように構成される。同期時間取得モジュール13は、リスト取得モジュール11により取得された時間リストとハートビート周期と予め設定された倍数とに従って同期時間を取得するように構成される。同期モジュール14は、同期時間取得モジュール13により取得された同期時間からの周期として、周期長取得モジュール12により取得されたハートビート動作の周期の長さを使用することにより、少なくとも１つの種類のハートビート動作を同期させるように構成される。
【０１４８】
この実施例によれば、ハートビート動作を同期させる装置は、図１に示す実施例の方法の技術的対策を実施する。実施原理は同様であるため、ここでは再び説明しない。
【０１４９】
この実施例によれば、ハートビート動作の周期の長さは、取得された周期リストに従って取得され、同期時間は、取得された時間リストとハートビート周期と予め設定された倍数とに従って取得され、少なくとも１つの種類のハートビート動作は、同期時間からの周期として、ハートビート動作のこの周期の長さを使用することにより同期される。従って、ハートビート動作を同期させる装置の電力の浪費が少なくとも１つの種類のハートビート動作の非同期により生じるという従来技術における課題が解決され、更に、ハートビート動作を同期させる装置の電力消費が効果的に低減される。
【０１５０】
更に、本発明においてハートビート動作を同期させる装置の第２の実施例によれば、図１０に示す実施例に基づいて、リスト取得モジュール11は、周期リスト及び時間リストを取得するように構成される。周期リストは、周期的なロケーションエリアアップデートの周期の長さと、周期的なルーティングエリアアップデートの周期の長さとを含み、時間リストは、周期的なロケーションエリアアップデートのアップデート時間と、周期的なルーティングエリアアップデートのアップデート時間とを含む。上りリンクハートビート動作の周期長設定モジュール及び周期長取得モジュール12は、上りリンクハートビート動作の周期の長さとして、リスト取得モジュール11により取得された周期的なロケーションエリアアップデートの周期の長さ又は周期的なルーティングエリアアップデートの周期の長さを設定するように構成される。同期時間取得モジュール13は、リスト取得モジュール11により取得された時間リストにおける周期的なロケーションエリアアップデートの周期の長さ又はルーティングエリアアップデートの周期の長さと、ハートビート周期と、予め設定された倍数とに従って、ハートビート動作の第１の同期時間を取得するように構成される。同期モジュール14は、同期時間取得モジュール13により取得されたハートビート動作の第１の同期時間からの周期として、周期長取得モジュール12により設定された上りリンクハートビート動作の周期の長さを使用することにより、同期してロケーションエリアアップデート及びルーティングエリアアップデートを実行するように構成される。
この実施例によれば、ハートビート動作を同期させる装置は、図２に示す実施例の方法の技術的対策を実施する。実施原理は同様であるため、ここでは再び説明しない。
【０１５１】
この実施例によれば、まず、取得された周期リストにおける周期的なロケーションエリアアップデートの周期の長さ又は周期的なルーティングエリアアップデートの周期の長さは、上りリンクハートビート動作の周期の長さとして設定される。次に、ハートビート動作の第１の同期時間は、取得された時間リストとハートビート周期と予め設定された倍数とに従って取得される。最後に、ロケーションエリアアップデート及びルーティングエリアアップデートは、ハートビート動作の第１の同期時間からの周期として、上りリンクハートビート動作の周期の長さを使用することにより、同期して実行される。このように、従来技術におけるロケーションエリアアップデートとルーティングエリアアップデートとの間の非同期の問題が解決され、更に、ハートビート動作を同期させる装置の電力消費が効果的に低減される。
【０１５２】
更に、本発明の第３の実施例によれば、第２の実施例に基づいて、周期リストは、DRX傍受（受信）周期の長さを含み、時間リストはDRX傍受時間を含む。ハートビート動作を同期させる装置は、ハートビート周期としてリスト取得モジュールにより取得されたDRX傍受周期の長さを設定し、ハートビートの起動時間としてリスト取得モジュールにより取得されたDRX傍受時間を設定するように構成されたハートビート設定モジュールを含む。
【０１５３】
更に、本発明においてハートビート動作を同期させる装置の第４の実施例によれば、第２の実施例又は第３の実施例に基づいて、同期時間取得モジュール13は、ルーティングエリアアップデートのアップデート時間がロケーションエリアアップデートのアップデート時間より遅い場合、時間リストの周期的なルーティングエリアアップデートのアップデート時間TKRとハートビート周期Tbasicと予め設定された倍数Kとに従って、ハートビート動作の第１の同期時間T1startを取得するために、式T1start=TKR+K*Tbasicを使用するように特に構成される。或いは、同期時間取得モジュール13は、ロケーションエリアアップデートのアップデート時間がルーティングエリアアップデートのアップデート時間より遅い場合、時間リストの周期的なロケーションエリアアップデートのアップデート時間TKLとハートビート周期Tbasicと予め設定された倍数Kとに従って、ハートビート動作の第１の同期時間T1startを取得するために、式T1start=TKL+K*Tbasicを使用する。ただし、Kは1以上の整数である。
【０１５４】
好ましくは、ハートビート動作を同期させる装置の電力消費を更に低減する目的で、周期リストは、周辺セルリストの各セルのBCCHにアクセスする周期の長さを更に含み、時間リストは、周辺セルリストの各セルのBCCHにアクセスするアップデート時間を更に含む。周期長取得モジュール12は、リスト取得モジュール11により取得された周期リストと予め設定された倍数と周期長取得モジュール12により設定された上りリンクハートビート動作の周期の長さとに従って、下りリンクハートビート動作の周期の長さを設定するように更に構成される。
【０１５５】
同期時間取得モジュール13は、時間リストにおける周辺セルリストの各セルのBCCHにアクセスするアップデート時間を問い合わせ、周辺セルリストに最後に追加されたセルのBCCHにアクセスするアップデート時間TKnを取得し、周辺セルリストに最後に追加されたセルのBCCHにアクセスするアップデート時間TKnとDRX傍受周期の長さTbasicと予め設定された倍数Kとに従って、ハートビート動作の第２の同期時間T2startを取得するために、式T2start=TKn+K*Tbasicを使用するように更に構成される。
【０１５６】
同期モジュール14は、ハートビート動作の第２の同期時間からの周期として、下りリンクハートビート動作の周期の長さを使用することにより、周辺セルリストの全てのセルのBCCHにアクセスするように構成される。ただし、Kは1以上の整数である。
【０１５７】
更に好ましくは、周期長取得モジュール12は、第１の周期長取得ユニットと、周期長取得ユニットとを含み、第１の周期長取得ユニットは、リスト取得モジュール11により取得された周期リストにおける周辺セルリストの各セルのBCCHにアクセスする周期の長さに従って、第１の周期の長さTDを取得するために、式TD=K*max(T1,...,Tn)を使用するように構成され、周期長取得ユニットは、周期長取得モジュール12により設定された上りリンクハートビート動作の周期の長さが第１の周期長取得ユニットにより取得された第１の周期の長さ以上である場合、下りリンクハートビート動作の周期の長さとして、第１の周期の長さを設定するように構成される。或いは、周期長取得ユニットは、上りリンクハートビート動作の周期の長さが第１の周期の長さ未満である場合、下りリンクハートビート動作の周期の長さとして、上りリンクハートビート動作の周期の長さを設定するように更に構成される。ただし、T1は第１のセルのBCCHにアクセスする周期の長さを示し、Tnは第nのセルのBCCHにアクセスする周期の長さを示し、nは1以上の整数である。
【０１５８】
更に好ましくは、ハートビート動作を同期させる装置の電力消費を更に低減するために、同期モジュール14は、第３の同期時間からの周期として、第２のハートビート動作の周期の長さを使用することにより、同期してロケーションエリアアップデート及びルーティングエリアアップデートを実行し、周辺セルリストの全てのセルのBCCHにアクセスするように更に構成される。第１の同期時間が第２の同期時間より遅い場合、第３の同期時間は第１の同期時間であり、或いは、第２の同期時間が第１の同期時間より遅い場合、第３の同期時間は第２の同期時間である。
【０１５９】
第２のハートビート動作の周期の長さは、下りリンクハートビート動作の周期の長さのm倍であり、下りリンクハートビート動作の周期の長さのm倍は、上りリンクハートビート動作の周期の長さ未満であり、下りリンクハートビート動作の周期の長さのm+1倍は、上りリンクハートビート動作の周期の長さより大きく、mは1以上の整数である。
【０１６０】
更に、本発明においてハートビート動作を同期させる装置の第５の実施例によれば、図１０に示す実施例に基づいて、リスト取得モジュール11は、周期リスト及び時間リストを取得するように構成される。周期リストは、周辺セルリストの各セルのBCCHにアクセスする周期の長さを含み、時間リストは、周辺セルリストの各セルのBCCHにアクセスするアップデート時間を含む。周期長取得モジュール12は、予め設定された倍数Kと、リスト取得モジュール11により取得された周辺セルリストの各セルのBCCHにアクセスする周期の長さとに従って、第１の周期の長さTDを取得するために、式TD=K*max(T1,...,Tn)を使用し、下りリンクハートビート動作の周期の長さとして第１の周期の長さTDを設定するように構成される。同期時間取得モジュール13は、リスト取得モジュール11により取得された時間リストにおける周辺セルリストの各セルのBCCHにアクセスするアップデート時間を問い合わせ、周辺セルリストに最後に追加されたセルのBCCHにアクセスするアップデート時間TKnを取得し、周辺セルリストに最後に追加されたセルのBCCHにアクセスするアップデート時間TKnとハートビート周期Tbasicと予め設定された倍数Kとに従って、ハートビート動作の第２の同期時間T2startを取得するために、式T2start=TKn+K*Tbasicを使用するように構成される。同期モジュール14は、同期時間取得モジュール13により取得されたハートビート動作の第２の同期時間からの周期として、周期長取得モジュール12により設定された下りリンクハートビート動作の周期の長さを使用することにより、周辺セルリストの全てのセルのBCCHにアクセスするように構成される。ただし、Kは1以上の整数であり、T1は第１のセルのBCCHにアクセスする周期の長さを示し、Tnは第nのセルのBCCHにアクセスする周期の長さを示し、nは1以上の整数である。
【０１６１】
この実施例によれば、ハートビート動作を同期させる装置は、図３に示す実施例の方法の技術的対策を実施する。実施原理は同様であるため、ここでは再び説明しない。
【０１６２】
この実施例によれば、まず、下りリンクハートビート動作の周期の長さは、予め設定された倍数と、周期リストにおける周辺セルリストの各セルのBCCHにアクセスする周期の長さとに従って取得される。次に、ハートビート動作の第２の同期時間は、時間リストにおける周辺セルリストの各セルのBCCHにアクセスするアップデート時間と、ハートビート周期と、予め設定された倍数とに従って取得される。最後に、周辺セルリストの全てのセルのBCCHは、ハートビート動作の第２の同期時間からの周期として、下りリンクハートビート動作の周期の長さを使用することによりアクセスされる。このように、従来技術における周辺セルリストの各セルのBCCHに同期してアクセスする問題が解決され、更に、ハートビート動作を同期させる装置の電力消費が効果的に低減される。
【０１６３】
更に、本発明においてハートビート動作を同期させる装置の第６の実施例によれば、第５の実施例に基づいて、周期リストは、DRX傍受（受信）周期の長さを含み、時間リストはDRX傍受時間を含む。ハートビート動作を同期させる装置は、ハートビート周期としてリスト取得モジュールにより取得されたDRX傍受周期の長さを設定し、ハートビートの起動時間としてリスト取得モジュールにより取得されたDRX傍受時間を設定するように構成されたハートビート設定モジュールを含む。
【０１６４】
更に、本発明においてハートビート動作を同期させる装置の第７の実施例によれば、第５の実施例又は第６の実施例に基づいて、周期リストは、周期的なロケーションエリアアップデートの周期の長さと、周期的なルーティングエリアアップデートの周期の長さとを含み、時間リストは、周期的なロケーションエリアアップデートのアップデート時間と、周期的なルーティングエリアアップデートのアップデート時間とを含む。周期長取得モジュール12は、上りリンクハートビート動作の周期の長さとして、リスト取得モジュール11により取得された周期的なロケーションエリアアップデートのアップデート時間又は周期的なルーティングエリアアップデートのアップデート時間を設定するように構成される。
【０１６５】
同期時間取得モジュール13は、時間リストとDRX傍受周期の長さと予め設定された倍数とに従って、ハートビート動作の第１の同期時間を取得するように更に構成される。
【０１６６】
同期モジュール14は、ハートビート動作の第１の同期時間からの周期として、周期長取得モジュールにより設定された上りリンクハートビート動作の周期の長さを使用することにより、同期してロケーションエリアアップデート及びルーティングエリアアップデートを実行するように更に構成される。
【０１６７】
上りリンクハートビート動作の周期の長さのハートビート周期は、DRX傍受周期の長さである。
【０１６８】
好ましくは、同期時間取得モジュール13は、ルーティングエリアアップデートのアップデート時間がロケーションエリアアップデートのアップデート時間より遅い場合、時間リストの周期的なルーティングエリアアップデートのアップデート時間TKRとハートビート周期Tbasicと予め設定された倍数Kとに従って、ハートビート動作の第１の同期時間T1startを取得するために、式T1start=TKR+K*Tbasicを使用するように特に構成される。或いは、同期時間取得モジュール13は、ロケーションエリアアップデートのアップデート時間がルーティングエリアアップデートのアップデート時間より遅い場合、時間リストの周期的なロケーションエリアアップデートのアップデート時間TKLとハートビート周期Tbasicと予め設定された倍数Kとに従って、ハートビート動作の第１の同期時間T1startを取得するために、式T1start=TKL+K*Tbasicを使用するように更に特に構成される。ただし、Kは1以上の整数である。
【０１６９】
更に好ましくは、周期長取得モジュール22は、第１の周期長取得ユニットと周期長取得ユニットとを含む。特に、第１の周期長取得ユニットは、リスト取得モジュール11により取得された周期リストにおける周辺セルリストの各セルのBCCHにアクセスする周期の長さと予め設定された倍数Kとに従って、第１の周期の長さTDを取得するために、式TD=K*max(T1,...,Tn)を使用するように構成される。周期長取得ユニットは、周期長取得モジュールにより取得された上りリンクハートビート動作の周期の長さが第１の周期長取得ユニットにより取得された第１の周期の長さ以上である場合、下りリンクハートビート動作の周期の長さとして、第１の周期の長さTDを設定するように構成される。
【０１７０】
更に好ましくは、周期長取得ユニットは、上りリンクハートビート動作の周期の長さが第１の周期の長さ未満である場合、下りリンクハートビート動作の周期の長さとして、上りリンクハートビート動作の周期の長さを設定するように更に構成される。
【０１７１】
更に好ましくは、同期モジュール14は、上りリンクハートビート動作の周期の長さが下りリンクハートビート動作の周期の長さ以上である場合、第３の同期時間からの周期として、第２のハートビート動作の周期の長さを使用することにより、同期してロケーションエリアアップデート及びルーティングエリアアップデートを実行し、周辺セルリストの全てのセルのBCCHにアクセスするように更に構成される。ただし、第２のハートビート動作の周期の長さは、下りリンクハートビート動作の周期の長さのm倍であり、下りリンクハートビート動作の周期の長さのm倍は、上りリンクハートビート動作の周期の長さ未満であり、下りリンクハートビート動作の周期の長さのm+1倍は、上りリンクハートビート動作の周期の長さより大きく、mは1以上の整数である。或いは、同期モジュール14は、上りリンクハートビート動作の周期の長さが下りリンクハートビート動作の周期の長さ未満である場合、第３の同期時間からの周期として、上りリンクハートビート動作の周期の長さを使用することにより、同期してロケーションエリアアップデート及びルーティングエリアアップデートを実行し、周辺セルリストの全てのセルのBCCHにアクセスするように更に構成される。ただし、第１の同期時間が第２の同期時間より遅い場合、第３の同期時間は第１の同期時間であり、或いは、第２の同期時間が第１の同期時間より遅い場合、第３の同期時間は第２の同期時間である。
【０１７２】
更に、本発明においてハートビート動作を同期させる装置の第８の実施例によれば、図１０に示す実施例に基づいて、リスト取得モジュール11により取得された周期リストが周期的なロケーションエリアアップデートの周期の長さ及び周辺セルリストの各セルのBCCHにアクセスする周期の長さを含み、時間リストが周期的なロケーションエリアアップデートのアップデート時間及び周辺セルリストの各セルのBCCHにアクセスするアップデート時間を含む場合、周期長取得モジュール12は、上りリンクハートビート動作の周期の長さとして、周期的なロケーションエリアアップデートの周期の長さを設定し、予め設定された倍数Kと、周期リストにおける周辺セルリストの各セルのBCCHにアクセスする周期の長さとに従って、第１の周期の長さTDを取得するために、式TD=K*max(T1,...,Tn)を使用し、下りリンクハートビート動作の周期の長さとして、第１の周期の長さTDを設定するように特に構成される。
【０１７３】
同期時間取得モジュール13は、時間リストの周期的なロケーションエリアアップデートのアップデート時間TKLとハートビート周期Tbasicと予め設定された倍数Kとに従って、第１の同期時間T1startを取得するために、式T1start=TKL+K*Tbasicを使用し、時間リストにおける周辺セルリストの各セルのBCCHにアクセスする周期の長さを問い合わせ、周辺セルリストに最後に追加されたセルのBCCHにアクセスするアップデート時間TKnを取得し、周辺セルリストに最後に追加されたセルのBCCHにアクセスするアップデート時間TKnとハートビート周期Tbasicと予め設定された倍数Kとに従って、第２の同期時間T2startを取得するために、式T2start=TKn+K*Tbasicを使用するように特に構成される。
【０１７４】
同期モジュール14は、上りリンクハートビート動作の周期の長さが下りリンクハートビート動作の周期の長さ以上である場合、第３の同期時間からの周期として、第２のハートビート動作の周期の長さを使用することにより、同期してロケーションエリアアップデートを実行し、周辺セルリストの全てのセルのBCCHにアクセスするように特に構成される。ただし、第２のハートビート動作の周期の長さは、下りリンクハートビート動作の周期の長さのm倍であり、下りリンクハートビート動作の周期の長さのm倍は、上りリンクハートビート動作の周期の長さ未満であり、下りリンクハートビート動作の周期の長さのm+1倍は、上りリンクハートビート動作の周期の長さより大きく、mは1以上の整数である。
【０１７５】
同期モジュール14は、上りリンクハートビート動作の周期の長さが下りリンクハートビート動作の周期の長さ未満である場合、第３の同期時間からの周期として、上りリンクハートビート動作の周期の長さを使用することにより、同期してロケーションエリアアップデートを実行し、周辺セルリストの全てのセルのBCCHにアクセスするように更に特に構成される。第１の同期時間が第２の同期時間より遅い場合、第３の同期時間は第１の同期時間であり、或いは、第２の同期時間が第１の同期時間より遅い場合、第３の同期時間は第２の同期時間である。ロケーションエリアアップデート及び周辺セルリストの全てのセルのBCCHへのアクセスのそれぞれは、ハートビート動作の種類である。
【０１７６】
好ましくは、リスト取得モジュールにより取得された周期リストは、DRX傍受（受信）周期の長さを更に含み、時間リストはDRX傍受時間を更に含む。ハートビート動作を同期させる装置は、ハートビート周期としてDRX傍受周期の長さを設定し、ハートビートの起動時間としてDRX傍受時間を設定するように構成されたハートビート設定モジュールを更に含む。
【０１７７】
更に、本発明においてハートビート動作を同期させる装置の第９の実施例によれば、図１０に示す実施例に基づいて、リスト取得モジュール11により取得された周期リストが周期的なルーティングエリアアップデートの周期の長さと、周辺セルリストの各セルのBCCHにアクセスする周期の長さとを含み、時間リストが周期的なルーティングエリアアップデートのアップデート時間と、周辺セルリストの各セルのBCCHにアクセスするアップデート時間とを含む場合、周期長取得モジュール12は、上りリンクハートビート動作の周期の長さとして、周期的なルーティングエリアアップデートの周期の長さを設定し、予め設定された倍数Kと、周期リストにおける周辺セルリストの各セルのBCCHにアクセスする周期の長さとに従って、第１の周期の長さTDを取得するために、式TD=K*max(T1,...,Tn)を使用し、下りリンクハートビート動作の周期の長さとして、第１の周期の長さTDを設定するように特に構成される。
【０１７８】
同期時間取得モジュール13は、時間リストの周期的なルーティングエリアアップデートのアップデート時間TKRとハートビート周期Tbasicと予め設定された倍数Kとに従って、第１の同期時間T1startを取得するために、式T1start=TKR+K*Tbasicを使用し、時間リストにおける周辺セルリストの各セルのBCCHにアクセスするアップデート時間を問い合わせ、周辺セルリストに最後に追加されたセルのBCCHにアクセスするアップデート時間TKnを取得し、周辺セルリストに最後に追加されたセルのBCCHにアクセスするアップデート時間TKnとハートビート周期Tbasicと予め設定された倍数Kとに従って、第２の同期時間T2startを取得するために、式T2start=TKn+K*Tbasicを使用するように特に構成される。
【０１７９】
同期モジュール14は、上りリンクハートビート動作の周期の長さが下りリンクハートビート動作の周期の長さ以上である場合、第３の同期時間からの周期として、第２のハートビート動作の周期の長さを使用することにより、同期してルーティングエリアアップデートを実行し、周辺セルリストの全てのセルのBCCHにアクセスするように特に構成される。ただし、第２のハートビート動作の周期の長さは、下りリンクハートビート動作の周期の長さのm倍であり、下りリンクハートビート動作の周期の長さのm倍は、上りリンクハートビート動作の周期の長さ未満であり、下りリンクハートビート動作の周期の長さのm+1倍は、上りリンクハートビート動作の周期の長さより大きく、mは1以上の整数である。
【０１８０】
同期モジュール14は、上りリンクハートビート動作の周期の長さが下りリンクハートビート動作の周期の長さ未満である場合、第３の同期時間からの周期として、上りリンクハートビート動作の周期の長さを使用することにより、同期してルーティングエリアアップデートを実行し、周辺セルリストの全てのセルのBCCHにアクセスするように更に特に構成される。ただし、第１の同期時間が第２の同期時間より遅い場合、第３の同期時間は第１の同期時間であり、或いは、第２の同期時間が第１の同期時間より遅い場合、第３の同期時間は第２の同期時間である。ルーティングエリアアップデート及び周辺セルリストの全てのセルリストのBCCHへのアクセスのそれぞれは、ハートビート動作の種類である。
【０１８１】
好ましくは、リスト取得モジュールにより取得された周期リストは、DRX傍受（受信）周期の長さを更に含み、時間リストはDRX傍受時間を更に含む。ハートビート動作を同期させる装置は、ハートビート周期としてDRX傍受周期の長さを設定し、ハートビートの起動時間としてDRX傍受時間を設定するように構成されたハートビート設定モジュールを更に含む。
【０１８２】
更に、本発明においてハートビート動作を同期させる装置の第１０の実施例によれば、図１０に示す実施例に基づいて、リスト取得モジュール11により取得された周期リストが周期的なロケーションエリアアップデートの周期の長さと、DRX傍受（受信）周期の長さとを含み、時間リストが周期的なロケーションエリアアップデートのアップデート時間と、DRX傍受時間とを含む場合、周期長取得モジュール12は、上りリンクハートビート動作の周期の長さとして、周期的なロケーションエリアアップデートの周期の長さを設定するように特に構成される。
【０１８３】
同期時間取得モジュール13は、時間リストの周期的なロケーションエリアアップデートのアップデート時間TKLとハートビート周期Tbasicと予め設定された倍数Kとに従って、第１の同期時間T1startを取得するために、式T1start=TKL+K*Tbasicを使用するように特に構成される。
【０１８４】
同期モジュール14は、第１の同期時間からの周期として、上りリンクハートビート動作の周期の長さを使用することにより、ロケーションエリアアップデートを実行するように特に構成される。
【０１８５】
ハートビート動作を同期させる装置は、DRX傍受周期の長さをハートビート周期として設定し、DRX傍受時間をハートビートの起動時間として設定するように構成されたハートビート設定モジュールを更に含む。ロケーションエリアアップデート及びDRX傍受のそれぞれは、ハートビート動作の種類である。
【０１８６】
更に、本発明においてハートビート動作を同期させる装置の第１１の実施例によれば、図１０に示す実施例に基づいて、リスト取得モジュール11により取得された周期リストが周期的なルーティングエリアアップデートの周期の長さと、DRX傍受（受信）周期の長さとを含み、時間リストが周期的なルーティングエリアアップデートのアップデート時間と、DRX傍受時間とを含む場合、周期長取得モジュール12は、上りリンクハートビート動作の周期の長さとして、周期的なルーティングエリアアップデートの周期の長さを設定するように特に構成される。
【０１８７】
同期時間取得モジュール13は、時間リストの周期的なルーティングエリアアップデートのアップデート時間TKRとハートビート周期Tbasicと予め設定された倍数Kとに従って、第１の同期時間T1startを取得するために、式T1start=TKL+K*Tbasicを使用するように特に構成される。
【０１８８】
同期モジュール14は、第１の同期時間からの周期として、上りリンクハートビート動作の周期の長さを使用することにより、ロケーションエリアアップデートを実行するように特に構成される。
【０１８９】
ハートビート動作を同期させる装置は、DRX傍受周期の長さをハートビート周期として設定し、DRX傍受時間をハートビートの起動時間として設定するように構成されたハートビート設定モジュールを更に含む。ルーティングエリアアップデート及びDRX傍受のそれぞれは、ハートビート動作の種類である。
【０１９０】
本発明は、命令に従ってプロセッサが図１〜８に示す実施例のいずれか１つに従ってハートビート動作を同期させる方法を実施する場合の命令を格納したメモリを含む装置を更に提供する。実施原理は同様であるため、１つずつ再び説明しない。
【０１９１】
本発明は、図１〜８に示す実施例のいずれか１つに従ってハートビート動作を同期させる方法を実施するように構成されたプロセッサを含む他の装置を更に提供する。実施原理は同様であるため、１つずつ再び説明しない。
【０１９２】
本発明は、コンピュータプログラムコードがコンピュータ上で実行した場合、コンピュータが図１〜８に示す実施例のいずれか１つに従ってハートビート動作を同期させる方法のステップを実行可能にするコンピュータプログラムコードを含むコンピュータプログラムプロダクトを更に提供する。実施原理は同様であるため、１つずつ再び説明しない。
【０１９３】
本発明は、コンピュータプログラムコードがコンピュータ上で実行した場合、コンピュータが図１〜８に示す実施例のいずれか１つに従ってハートビート動作を同期させる方法のステップを実行可能にするコンピュータプログラムコードを格納したコンピュータ可読記憶媒体を提供する。実施原理は同様であるため、１つずつ再び説明しない。
【０１９４】
当業者は、実施例の方法のステップの全て又は一部が関係するハードウェアに命令するプログラムにより実施されてもよいことを理解するべきである。前述のプログラムは、コンピュータ可読記憶媒体に格納されてもよい。プログラムが実行した場合、実施例の方法のステップが実行される。記憶媒体は、ROM、RAM、磁気ディスク、光ディスク等を含み、プログラムコードを格納可能な如何なる媒体でもよい。
【０１９５】
最後に、前述の実施例は、本発明を限定するものではなく、本発明の技術的対策を説明するためのものである点に留意すべきである。本発明について前述の実施例を参照して詳細に説明したが、当業者は、本発明の実施例の技術的対策の範囲を逸脱せずに、依然として前述の実施例に記載の技術的対策に変更を行うことができ、或いは、その技術的特徴の一部又は全部への等価置換を行うことができることを認識するべきである。
【図１】
2013530647.tif 000005
【図２】
2013530647.tif 000006
【図３】
2013530647.tif 000007
【図４】
2013530647.tif 000008
【図５】
2013530647.tif 000009
【図６】
2013530647.tif 000010
【図７】
2013530647.tif 000011
【図８】
2013530647.tif 000012
【図９ａ】
2013530647.tif 000013
【図９ｂ】
2013530647.tif 000014
【図１０】
2013530647.tif 000015
【手続補正書】
【提出日】平成24年12月7日(2012.12.7)
【手続補正１】
【補正対象書類名】特許請求の範囲
【補正対象項目名】全文
【補正方法】変更
【補正の内容】
【特許請求の範囲】
【請求項１】
ハートビート動作を同期させる方法であって、
周期リスト及び時間リストを取得するステップと、
前記周期リストに従って前記ハートビート動作の周期の長さを取得し、前記時間リストとハートビート周期と予め設定された倍数とに従って同期時間を取得するステップと、
前記同期時間からの周期として、前記ハートビート動作の前記周期の長さを使用することにより、少なくとも１つの種類のハートビート動作を同期させるステップと
を有する方法。
【請求項２】
前記周期リストが周期的なロケーションエリアアップデートの周期の長さと、周期的なルーティングエリアアップデートの周期の長さとを有し、前記時間リストが前記周期的なロケーションエリアアップデートのアップデート時間と、前記周期的なルーティングエリアアップデートのアップデート時間とを有する場合、
前記周期リストに従って前記ハートビート動作の周期の長さを取得し、前記時間リストとハートビート周期と予め設定された倍数とに従って同期時間を取得するステップは、
上りリンクハートビート動作の周期の長さとして、前記周期的なロケーションエリアアップデートの前記周期の長さ又は前記周期的なルーティングエリアアップデートの前記周期の長さを設定するステップと、
前記時間リストにおける前記周期的なロケーションエリアアップデートの前記アップデート時間及び前記周期的なルーティングエリアアップデートの前記アップデート時間と、前記ハートビート周期と、前記予め設定された倍数とに従って、前記ハートビート動作の第１の同期時間を取得するステップと
を有し、
前記同期時間からの周期として、前記ハートビート動作の前記周期の長さを使用することにより、少なくとも１つの種類のハートビート動作を同期させるステップは、
前記第１の同期時間からの周期として、前記上りリンクハートビート動作の前記周期の長さを使用することにより、同期してロケーションエリアアップデート及びルーティングエリアアップデートを実行するステップを有し、
前記ロケーションエリアアップデート及び前記ルーティングエリアアップデートのそれぞれは、ハートビート動作の種類である、請求項１に記載のハートビート動作を同期させる方法。
【請求項３】
上りリンクハートビート動作の周期の長さとして、前記周期的なロケーションエリアアップデートの前記周期の長さ又は前記周期的なルーティングエリアアップデートの前記周期の長さを設定するステップは、
音声サービスがデータサービスより高い優先度を有する場合、前記上りリンクハートビート動作の前記周期の長さとして、前記周期的なロケーションエリアアップデートの前記周期の長さを設定するステップと、
前記データサービスが前記音声サービスより高い優先度を有する場合、前記上りリンクハートビート動作の前記周期の長さとして、前記周期的なルーティングエリアアップデートの前記周期の長さを設定するステップと
を有する、請求項２に記載のハートビート動作を同期させる方法。
【請求項４】
前記時間リストと前記ハートビート周期と前記予め設定された倍数とに従って、前記ハートビート動作の第１の同期時間を取得するステップは、
前記ルーティングエリアアップデートの前記アップデート時間が前記ロケーションエリアアップデートの前記アップデート時間より遅い場合、前記時間リストの前記周期的なルーティングエリアアップデートの前記アップデート時間TKRと前記ハートビート周期Tbasicと前記予め設定された倍数Kとに従って、前記ハートビート動作の前記第１の同期時間T1startを取得するために、式T1start=TKR+K*Tbasicを使用するステップと、
前記ロケーションエリアアップデートの前記アップデート時間が前記ルーティングエリアアップデートの前記アップデート時間より遅い場合、前記時間リストの前記周期的なロケーションエリアアップデートの前記アップデート時間TKLと前記ハートビート周期Tbasicと前記予め設定された倍数Kとに従って、前記ハートビート動作の前記第１の同期時間T1startを取得するために、式T1start=TKL+K*Tbasicを使用するステップと
を有し、
Kは1以上の整数である、請求項２又は３に記載のハートビート動作を同期させる方法。
【請求項５】
前記周期リストは、周辺セルリストの各セルのブロードキャスト制御チャネル（BCCH）にアクセスする周期の長さを更に有し、前記時間リストは、前記周辺セルリストの各セルの前記BCCHにアクセスするアップデート時間を更に有し、前記方法は、
前記周期リストと前記予め設定された倍数と前記上りリンクハートビート動作の前記周期の長さとに従って、下りリンクハートビート動作の周期の長さを設定するステップと、
前記時間リストにおける前記周辺セルリストの各セルの前記BCCHにアクセスする前記アップデート時間を問い合わせ、前記周辺セルリストに最後に追加されたセルのBCCHにアクセスするアップデート時間TKnを取得し、前記周辺セルリストに最後に追加された前記セルの前記BCCHにアクセスする前記アップデート時間TKnと前記ハートビート周期Tbasicと前記予め設定された倍数Kとに従って、前記ハートビート動作の第２の同期時間T2startを取得するために、式T2start=TKn+K*Tbasicを使用するステップと、
前記ハートビート動作の前記第２の同期時間からの周期として、前記下りリンクハートビート動作の前記周期の長さを使用することにより、前記周辺セルリストの全てのセルの前記BCCHにアクセスするステップと
を更に有し、
Kは1以上の整数である、請求項４に記載のハートビート動作を同期させる方法。
【請求項６】
前記周期リストと前記予め設定された倍数と前記上りリンクハートビート動作の前記周期の長さとに従って、下りリンクハートビート動作の周期の長さを設定するステップは、
前記周期リストにおける前記周辺セルリストの各セルの前記BCCHにアクセスする前記周期の長さと前記予め設定された倍数Kとに従って、第１の周期の長さTDを取得するために、式TD=K*max(T1,...,Tn)を使用するステップと、
前記上りリンクハートビート動作の前記周期の長さが前記第１の周期の長さ以上である場合、前記下りリンクハートビート動作の前記周期の長さとして、前記第１の周期の長さを設定するステップと、
前記上りリンクハートビート動作の前記周期の長さが前記第１の周期の長さ未満である場合、前記下りリンクハートビート動作の前記周期の長さとして、前記上りリンクハートビート動作の前記周期の長さを設定するステップと
を有し、
T1は第１のセルのBCCHにアクセスする周期の長さを示し、Tnは第nのセルのBCCHにアクセスする周期の長さを示し、nは1以上の整数である、請求項５に記載のハートビート動作を同期させる方法。
【請求項７】
第３の同期時間からの周期として、第２のハートビート動作の周期の長さを使用することにより、同期して前記ロケーションエリアアップデート及び前記ルーティングエリアアップデートを実行し、前記周辺セルリストの全てのセルの前記BCCHにアクセスするステップを更に有し、
前記第１の同期時間が前記第２の同期時間より遅い場合、前記第３の同期時間は前記第１の同期時間であり、或いは、前記第２の同期時間が前記第１の同期時間より遅い場合、前記第３の同期時間は前記第２の同期時間であり、
前記第２のハートビートの前記周期の長さは、前記下りリンクハートビート動作の前記周期の長さのm倍であり、前記下りリンクハートビート動作の前記周期の長さのm倍は、前記上りリンクハートビート動作の前記周期の長さ未満であり、前記下りリンクハートビート動作の前記周期の長さのm+1倍は、前記上りリンクハートビート動作の前記周期の長さより大きく、mは1以上の整数である、請求項６に記載のハートビート動作を同期させる方法。
【請求項８】
前記周期リストが周辺セルリストの各セルのブロードキャスト制御チャネル（BCCH）にアクセスする周期の長さを有し、前記時間リストが前記周辺セルリストの各セルの前記BCCHにアクセスするアップデート時間を有する場合、
前記周期リストに従って前記ハートビート動作の周期の長さを取得し、前記時間リストとハートビート周期と予め設定された倍数とに従って同期時間を取得するステップは、
前記予め設定された倍数Kと、前記周期リストにおける前記周辺セルリストの各セルの前記BCCHにアクセスする前記周期の長さとに従って、第１の周期の長さTDを取得するために、式TD=K*max(T1,...,Tn)を使用し、下りリンクハートビート動作の周期の長さとして前記第１の周期の長さTDを設定するステップと、
前記時間リストにおける前記周辺セルリストの各セルの前記BCCHにアクセスする前記アップデート時間を問い合わせ、前記周辺セルリストに最後に追加されたセルのBCCHにアクセスするアップデート時間TKnを取得し、前記周辺セルリストに最後に追加された前記セルの前記BCCHにアクセスする前記アップデート時間TKnと前記ハートビート周期Tbasicと前記予め設定された倍数Kとに従って、前記ハートビート動作の第２の同期時間T2startを取得するために、式T2start=TKn+K*Tbasicを使用するステップと
を有し、
前記同期時間からの周期として、前記ハートビート動作の前記周期の長さを使用することにより、少なくとも１つの種類のハートビート動作を同期させるステップは、
前記第２の同期時間からの周期として、前記下りリンクハートビート動作の前記周期の長さを使用することにより、前記周辺セルリストの全てのセルのBCCHにアクセスするステップを有し、
Kは1以上の整数であり、T1は第１のセルのBCCHにアクセスする周期の長さを示し、Tnは第nのセルのBCCHにアクセスする周期の長さを示し、nは1以上の整数であり、Kは1以上の整数である、請求項１に記載のハートビート動作を同期させる方法。
【請求項９】
前記周期リストは、周期的なロケーションエリアアップデートの周期の長さと、周期的なルーティングエリアアップデートの周期の長さとを更に有し、前記時間リストは、前記周期的なロケーションエリアアップデートのアップデート時間と、前記周期的なルーティングエリアアップデートのアップデート時間とを更に有し、
前記方法は、
上りリンクハートビート動作の周期の長さとして、前記周期的なロケーションエリアアップデートの前記周期の長さ又は前記周期的なルーティングエリアアップデートの前記周期の長さを設定するステップと、
前記時間リストにおける前記周期的なロケーションエリアアップデートの前記アップデート時間又は前記周期的なルーティングエリアアップデートの前記アップデート時間と、前記ハートビート周期と、前記予め設定された倍数とに従って、前記ハートビート動作の第１の同期時間を取得するステップと、
前記ハートビート動作の前記第１の同期時間からの周期として、前記上りリンクハートビート動作の前記周期の長さを使用することにより、同期してロケーションエリアアップデート及びルーティングエリアアップデートを実行するステップと
を更に有する、請求項８に記載のハートビート動作を同期させる方法。
【請求項１０】
前記時間リストにおける前記周期的なロケーションエリアアップデートの前記アップデート時間又は前記周期的なルーティングエリアアップデートの前記アップデート時間と、前記ハートビート周期と、前記予め設定された倍数とに従って、前記ハートビート動作の第１の同期時間を取得するステップは、
前記ルーティングエリアアップデートの前記アップデート時間が前記ロケーションエリアアップデートの前記アップデート時間より遅い場合、前記時間リストの前記周期的なルーティングエリアアップデートの前記アップデート時間TKRと前記ハートビート周期Tbasicと前記予め設定された倍数Kとに従って、前記ハートビート動作の前記第１の同期時間T1startを取得するために、式T1start=TKR+K*Tbasicを使用するステップと、
前記ロケーションエリアアップデートの前記アップデート時間が前記ルーティングエリアアップデートの前記アップデート時間より遅い場合、前記時間リストの前記周期的なロケーションエリアアップデートの前記アップデート時間TKLと前記ハートビート周期Tbasicと前記予め設定された倍数Kとに従って、前記ハートビート動作の前記第１の同期時間T1startを取得するために、式T1start=TKL+K*Tbasicを使用するステップと
を有し、
Kは1以上の整数である、請求項９に記載のハートビート動作を同期させる方法。
【請求項１１】
前記予め設定された倍数Kと、前記周期リストにおける前記周辺セルリストの各セルの前記BCCHにアクセスする前記周期の長さとに従って、第１の周期の長さTDを取得するために、式TD=K*max(T1,...,Tn)を使用し、下りリンクハートビート動作の周期の長さとして前記第１の周期の長さTDを設定するステップは、
前記周期リストにおける前記周辺セルリストの各セルの前記BCCHにアクセスする前記周期の長さと前記予め設定された倍数Kとに従って、前記第１の周期の長さTDを取得するために、式TD=K*max(T1,...,Tn)を使用するステップと、
前記上りリンクハートビート動作の前記周期の長さが前記第１の周期の長さ以上である場合、前記下りリンクハートビート動作の前記周期の長さとして、前記第１の周期の長さTDを設定するステップと、
を有する、請求項８に記載のハートビート動作を同期させる方法。
【請求項１２】
前記上りリンクハートビート動作の前記周期の長さが前記第１の周期の長さ未満である場合、前記下りリンクハートビート動作の前記周期の長さとして、前記上りリンクハートビート動作の前記周期の長さを設定するステップを更に有する、請求項１１に記載のハートビート動作を同期させる方法。
【請求項１３】
前記上りリンクハートビート動作の前記周期の長さが前記下りリンクハートビート動作の前記周期の長さ以上である場合、第３の同期時間からの周期として、第２のハートビート動作の周期の長さを使用することにより、同期して前記ロケーションエリアアップデート及び前記ルーティングエリアアップデートを実行し、前記周辺セルリストの全てのセルの前記BCCHにアクセスするステップであり、前記第２のハートビートの前記周期の長さは、前記下りリンクハートビート動作の前記周期の長さのm倍であり、前記下りリンクハートビート動作の前記周期の長さのm倍は、前記上りリンクハートビート動作の前記周期の長さ未満であり、前記下りリンクハートビート動作の前記周期の長さのm+1倍は、前記上りリンクハートビート動作の前記周期の長さより大きく、mは1以上の整数であるステップと、
前記上りリンクハートビート動作の前記周期の長さが前記下りリンクハートビート動作の前記周期の長さ未満である場合、前記第３の同期時間からの周期として、前記上りリンクハートビート動作の前記周期の長さを使用することにより、同期して前記ロケーションエリアアップデート及び前記ルーティングエリアアップデートを実行し、前記周辺セルリストの全てのセルの前記BCCHにアクセスするステップと
を更に有し、
第１の同期時間が前記第２の同期時間より遅い場合、前記第３の同期時間は前記第１の同期時間であり、或いは、前記第２の同期時間が前記第１の同期時間より遅い場合、前記第３の同期時間は前記第２の同期時間である、請求項１１又は１２に記載のハートビート動作を同期させる方法。
【請求項１４】
前記周期リストが周期的なロケーションエリアアップデートの周期の長さと、周辺セルリストの各セルのブロードキャスト制御チャネル（BCCH）にアクセスする周期の長さとを有し、前記時間リストが前記周期的なロケーションエリアアップデートのアップデート時間と、前記周辺セルリストの各セルの前記BCCHにアクセスするアップデート時間とを有する場合、
前記周期リストに従って前記ハートビート動作の周期の長さを取得し、前記時間リストとハートビート周期と予め設定された倍数とに従って同期時間を取得するステップは、
上りリンクハートビート動作の周期の長さとして、前記周期的なロケーションエリアアップデートの前記周期の長さを設定するステップと、
前記予め設定された倍数Kと、前記周期リストにおける前記周辺セルリストの各セルの前記BCCHにアクセスする前記周期の長さとに従って、第１の周期の長さTDを取得するために、式TD=K*max(T1,...,Tn)を使用し、下りリンクハートビート動作の周期の長さとして、前記第１の周期の長さTDを設定するステップと、
前記時間リストの前記周期的なロケーションエリアアップデートの前記アップデート時間TKLと前記ハートビート周期Tbasicと前記予め設定された倍数Kとに従って、第１の同期時間T1startを取得するために、式T1start=TKL+K*Tbasicを使用するステップと、
前記時間リストにおける前記周辺セルリストの各セルの前記BCCHにアクセスする前記アップデート時間を問い合わせ、前記周辺セルリストに最後に追加されたセルのBCCHにアクセスするアップデート時間TKnを取得し、前記周辺セルリストに最後に追加された前記セルの前記BCCHにアクセスする前記アップデート時間TKnと前記ハートビート周期Tbasicと前記予め設定された倍数Kとに従って、第２の同期時間T2startを取得するために、式T2start=TKn+K*Tbasicを使用するステップと
を有し、
前記同期時間からの周期として、前記ハートビート動作の前記周期の長さを使用することにより、少なくとも１つの種類のハートビート動作を同期させるステップは、
前記上りリンクハートビート動作の前記周期の長さが前記下りリンクハートビート動作の前記周期の長さ以上である場合、第３の同期時間からの周期として、第２のハートビート動作の周期の長さを使用することにより、同期してロケーションエリアアップデートを実行し、前記周辺セルリストの全てのセルのBCCHにアクセスするステップであり、前記第２のハートビート動作の前記周期の長さは、前記下りリンクハートビート動作の前記周期の長さのm倍であり、前記下りリンクハートビート動作の前記周期の長さのm倍は、前記上りリンクハートビート動作の前記周期の長さ未満であり、前記下りリンクハートビート動作の前記周期の長さのm+1倍は、前記上りリンクハートビート動作の前記周期の長さより大きく、mは1以上の整数であるステップと、
前記上りリンクハートビート動作の前記周期の長さが前記下りリンクハートビート動作の前記周期の長さ未満である場合、前記第３の同期時間からの周期として、前記上りリンクハートビート動作の前記周期の長さを使用することにより、同期して前記ロケーションエリアアップデートを実行し、前記周辺セルリストの全てのセルの前記BCCHにアクセスするステップと
を有し、
前記第１の同期時間が前記第２の同期時間より遅い場合、前記第３の同期時間は前記第１の同期時間であり、或いは、前記第２の同期時間が前記第１の同期時間より遅い場合、前記第３の同期時間は前記第２の同期時間であり、
前記ロケーションエリアアップデート及び前記周辺セルリストの全てのセルの前記BCCHへのアクセスのそれぞれは、ハートビート動作の種類である、請求項１に記載のハートビート動作を同期させる方法。
【請求項１５】
前記周期リストが周期的なルーティングエリアアップデートの周期の長さと、周辺セルリストの各セルのブロードキャスト制御チャネル（BCCH）にアクセスする周期の長さとを有し、前記時間リストが前記周期的なルーティングエリアアップデートのアップデート時間と、前記周辺セルリストの各セルの前記BCCHにアクセスするアップデート時間とを有する場合、
前記周期リストに従って前記ハートビート動作の周期の長さを取得し、前記時間リストとハートビート周期と予め設定された倍数とに従って同期時間を取得するステップは、
上りリンクハートビート動作の周期の長さとして、前記周期的なルーティングエリアアップデートの前記周期の長さを設定するステップと、
前記予め設定された倍数Kと、前記周期リストにおける前記周辺セルリストの各セルの前記BCCHにアクセスする前記周期の長さとに従って、第１の周期の長さTDを取得するために、式TD=K*max(T1,...,Tn)を使用し、下りリンクハートビート動作の周期の長さとして、前記第１の周期の長さTDを設定するステップと、
前記時間リストの前記周期的なルーティングエリアアップデートの前記アップデート時間TKRと前記ハートビート周期Tbasicと前記予め設定された倍数Kとに従って、第１の同期時間T1startを取得するために、式T1start=TKR+K*Tbasicを使用するステップと、
前記時間リストにおける前記周辺セルリストの各セルの前記BCCHにアクセスする前記アップデート時間を問い合わせ、前記周辺セルリストに最後に追加されたセルのBCCHにアクセスするアップデート時間TKnを取得し、前記周辺セルリストに最後に追加された前記セルの前記BCCHにアクセスする前記アップデート時間TKnと前記ハートビート周期Tbasicと前記予め設定された倍数Kとに従って、第２の同期時間T2startを取得するために、式T2start=TKn+K*Tbasicを使用するステップと
を有し、
前記同期時間からの周期として、前記ハートビート動作の前記周期の長さを使用することにより、少なくとも１つの種類のハートビート動作を同期させるステップは、
前記上りリンクハートビート動作の前記周期の長さが前記下りリンクハートビート動作の前記周期の長さ以上である場合、第３の同期時間からの周期として、第２のハートビート動作の周期の長さを使用することにより、同期してルーティングエリアアップデートを実行し、前記周辺セルリストの全てのセルのBCCHにアクセスするステップであり、前記第２のハートビート動作の前記周期の長さは、前記下りリンクハートビート動作の前記周期の長さのm倍であり、前記下りリンクハートビート動作の前記周期の長さのm倍は、前記上りリンクハートビート動作の前記周期の長さ未満であり、前記下りリンクハートビート動作の前記周期の長さのm+1倍は、前記上りリンクハートビート動作の前記周期の長さより大きく、mは1以上の整数であるステップと、
前記上りリンクハートビート動作の前記周期の長さが前記下りリンクハートビート動作の前記周期の長さ未満である場合、前記第３の同期時間からの周期として、前記上りリンクハートビート動作の前記周期の長さを使用することにより、同期して前記ルーティングエリアアップデートを実行し、前記周辺セルリストの全てのセルの前記BCCHにアクセスするステップと
を有し、
前記第１の同期時間が前記第２の同期時間より遅い場合、前記第３の同期時間は前記第１の同期時間であり、或いは、前記第２の同期時間が前記第１の同期時間より遅い場合、前記第３の同期時間は前記第２の同期時間であり、
前記ルーティングエリアアップデート及び前記周辺セルリストの全てのセルの前記BCCHへのアクセスのそれぞれは、ハートビート動作の種類である、請求項１に記載のハートビート動作を同期させる方法。
【請求項１６】
前記周期リストは、不連続受信（DRX）傍受周期の長さを更に有し、前記時間リストはDRX傍受時間を更に有し、
前記方法は、前記ハートビート周期として前記DRX傍受周期の長さを設定し、前記ハートビートの起動時間として前記DRX傍受時間を設定するステップを更に有し、
前記ハートビート周期は、前記DRX傍受周期の長さに等しく、前記ハートビートの前記起動時間は、前記DRX傍受時間に等しく、前記ハートビート周期は、前記ハートビートの１つの起動時間と前記ハートビートの次の起動時間との間の時間の長さであり、前記同期時間は、第１の時間における前記ハートビートの前記起動時間に一致し、前記第１の時間の後に、前記同期時間は、前記ハートビート動作の前記周期の長さの間隔における前記ハートビート時間に一致する、請求項１ないし１５のうちいずれか１項に記載のハートビート動作を同期させる方法。
【請求項１７】
前記周期リストは、周期的なロケーションエリアアップデートの周期の長さと、DRX傍受周期の長さとを有し、前記時間リストは、前記周期的なロケーションエリアアップデートのアップデート時間と、不連続受信（DRX）傍受時間とを有する場合、
前記周期リストに従って前記ハートビート動作の周期の長さを取得し、前記時間リストとハートビート周期と予め設定された倍数とに従って同期時間を取得するステップは、
上りリンクハートビート動作の周期の長さとして、前記周期的なロケーションエリアアップデートの前記周期の長さを設定するステップと、
前記時間リストの前記周期的なロケーションエリアアップデートの前記アップデート時間TKLと前記ハートビート周期Tbasicと前記予め設定された倍数Kとに従って、第１の同期時間T1startを取得するために、式T1start=TKL+K*Tbasicを使用するステップと
を有し、
前記同期時間からの周期として、前記ハートビート動作の前記周期の長さを使用することにより、少なくとも１つの種類のハートビート動作を同期させるステップは、
前記第１の同期時間からの周期として、前記上りリンクハートビート動作の前記周期の長さを使用することにより、ロケーションエリアアップデートを実行するステップを有し、
前記DRX傍受周期の長さは、前記ハートビート周期として設定され、前記DRX傍受時間は、前記ハートビートの起動時間として設定され、前記ロケーションエリアアップデート及び前記DRX傍受のそれぞれは、ハートビート動作の種類であり、
前記ハートビート周期は、前記DRX傍受周期の長さに等しく、前記ハートビートの前記起動時間は、前記DRX傍受時間に等しく、前記ハートビート周期は、前記ハートビートの１つの起動時間と前記ハートビートの次の起動時間との間の時間の長さであり、前記同期時間は、第１の時間における前記ハートビートの前記起動時間に一致し、前記第１の時間の後に、前記同期時間は、前記ハートビート動作の前記周期の長さの間隔における前記ハートビート時間に一致する、請求項１に記載のハートビート動作を同期させる方法。
【請求項１８】
前記周期リストが周期的なルーティングエリアアップデートの周期の長さと、不連続受信（DRX）傍受周期の長さとを有し、前記時間リストが前記周期的なルーティングエリアアップデートのアップデート時間と、DRX傍受時間とを有する場合、
前記周期リストに従って前記ハートビート動作の周期の長さを取得し、前記時間リストとハートビート周期と予め設定された倍数とに従って同期時間を取得するステップは、
上りリンクハートビート動作の周期の長さとして、前記周期的なルーティングエリアアップデートの前記周期の長さを設定するステップと、
前記時間リストの前記周期的なルーティングエリアアップデートの前記アップデート時間TKRと前記ハートビート周期Tbasicと前記予め設定された倍数Kとに従って、第１の同期時間T1startを取得するために、式T1start=TKL+K*Tbasicを使用するステップと
を有し、
前記同期時間からの周期として、前記ハートビート動作の前記周期の長さを使用することにより、少なくとも１つの種類のハートビート動作を同期させるステップは、
前記第１の同期時間からの周期として、前記上りリンクハートビート動作の前記周期の長さを使用することにより、ロケーションエリアアップデートを実行するステップを有し、
前記DRX傍受周期の長さは、前記ハートビート周期として設定され、前記DRX傍受時間は、前記ハートビートの起動時間として設定され、前記ルーティングエリアアップデート及び前記DRX傍受のそれぞれは、ハートビート動作の種類であり、
前記ハートビート周期は、前記DRX傍受周期の長さに等しく、前記ハートビートの前記起動時間は、前記DRX傍受時間に等しく、前記ハートビート周期は、前記ハートビートの１つの起動時間と前記ハートビートの次の起動時間との間の時間の長さであり、前記同期時間は、第１の時間における前記ハートビートの前記起動時間に一致し、前記第１の時間の後に、前記同期時間は、前記ハートビート動作の前記周期の長さの間隔における前記ハートビート時間に一致する、請求項１に記載のハートビート動作を同期させる方法。
【請求項１９】
ハートビート動作を同期させる装置であって、
周期リスト及び時間リストを取得するように構成されたリスト取得モジュールと、
前記リスト取得モジュールにより取得された前記周期リストに従って前記ハートビート動作の周期の長さを取得するように構成された周期長取得モジュールと、
前記リスト取得モジュールにより取得された前記時間リストとハートビート周期と予め設定された倍数とに従って同期時間を取得するように構成された同期時間取得モジュールと、
前記同期時間取得モジュールにより取得された前記同期時間からの周期として、前記周期長取得モジュールにより取得された前記ハートビート動作の前記周期の長さを使用することにより、少なくとも１つの種類のハートビート動作を同期させるように構成された同期モジュールと
を有する装置。
【請求項２０】
前記リスト取得モジュールにより取得された前記周期リストが周期的なロケーションエリアアップデートの周期の長さと、周期的なルーティングエリアアップデートの周期の長さとを有し、前記時間リストが前記周期的なロケーションエリアアップデートのアップデート時間と、前記周期的なルーティングエリアアップデートのアップデート時間とを有する場合、
前記周期長取得モジュールは、上りリンクハートビート動作の周期の長さとして、前記リスト取得モジュールにより取得された前記周期的なロケーションエリアアップデートの前記周期の長さ又は前記周期的なルーティングエリアアップデートの前記周期の長さを設定するように特に構成され、
前記同期時間取得モジュールは、前記リスト取得モジュールにより取得された前記時間リストにおける前記周期的なロケーションエリアアップデートの前記アップデート時間又は前記周期的なルーティングエリアアップデートの前記アップデート時間と、前記ハートビート周期と、前記予め設定された倍数とに従って、前記ハートビート動作の第１の同期時間を取得するように構成され、
前記同期モジュールは、前記同期時間取得モジュールにより取得された前記第１の同期時間からの周期として、前記周期長取得モジュールにより設定された前記上りリンクハートビート動作の前記周期の長さを使用することにより、同期してロケーションエリアアップデート及びルーティングエリアアップデートを実行するように特に構成される、請求項１９に記載のハートビート動作を同期させる装置。
【請求項２１】
前記周期長取得モジュールは、音声サービスがデータサービスより高い優先度を有する場合、前記上りリンクハートビート動作の前記周期の長さとして、前記周期的なロケーションエリアアップデートの前記周期の長さを設定するように特に構成され、又は、
前記周期長取得モジュールは、前記データサービスが前記音声サービスより高い優先度を有する場合、前記上りリンクハートビート動作の前記周期の長さとして、前記周期的なルーティングエリアアップデートの前記周期の長さを設定するように特に構成される、請求項２０に記載のハートビート動作を同期させる装置。
【請求項２２】
前記同期時間取得モジュールは、前記ルーティングエリアアップデートの前記アップデート時間が前記ロケーションエリアアップデートの前記アップデート時間より遅い場合、前記時間リストの前記周期的なルーティングエリアアップデートの前記アップデート時間TKRと前記ハートビート周期Tbasicと前記予め設定された倍数Kとに従って、前記ハートビート動作の前記第１の同期時間T1startを取得するために、式T1start=TKR+K*Tbasicを使用するように特に構成され、
前記同期時間取得モジュールは、前記ロケーションエリアアップデートの前記アップデート時間が前記ルーティングエリアアップデートの前記アップデート時間より遅い場合、前記時間リストの前記周期的なロケーションエリアアップデートの前記アップデート時間TKLと前記ハートビート周期Tbasicと前記予め設定された倍数Kとに従って、前記ハートビート動作の前記第１の同期時間T1startを取得するために、式T1start=TKL+K*Tbasicを使用するように特に構成され、
Kは1以上の整数である、請求項２０又は２１に記載のハートビート動作を同期させる装置。
【請求項２３】
前記周期リストは、周辺セルリストの各セルのブロードキャスト制御チャネル（BCCH）にアクセスする周期の長さを更に有し、前記時間リストは、各セルの前記BCCHにアクセスするアップデート時間を更に有し、
前記周期長取得モジュールは、前記リスト取得モジュールにより取得された前記周期リストと前記予め設定された倍数と前記周期長取得モジュールにより設定された前記上りリンクハートビート動作の前記周期の長さとに従って、下りリンクハートビート動作の周期の長さを設定するように更に構成され、
前記同期時間取得モジュールは、前記時間リストにおける前記周辺セルリストの各セルの前記BCCHにアクセスする前記アップデート時間を問い合わせ、前記周辺セルリストに最後に追加されたセルのBCCHにアクセスするアップデート時間TKnを取得し、前記周辺セルリストに最後に追加された前記セルの前記BCCHにアクセスする前記アップデート時間TKnと前記ハートビート周期Tbasicと前記予め設定された倍数Kとに従って、前記ハートビート動作の第２の同期時間T2startを取得するために、式T2start=TKn+K*Tbasicを使用するように更に構成され、
前記同期モジュールは、前記ハートビート動作の前記第２の同期時間からの周期として、前記下りリンクハートビート動作の前記周期の長さを使用することにより、前記周辺セルリストの全てのセルの前記BCCHにアクセスするように更に構成され、
Kは1以上の整数である、請求項２２に記載のハートビート動作を同期させる装置。
【請求項２４】
前記周期長取得モジュールは、
前記周期リストにおける前記周辺セルリストの各セルの前記BCCHにアクセスする前記周期の長さと前記予め設定された倍数Kとに従って、第１の周期の長さTDを取得するために、式TD=K*max(T1,...,Tn)を使用するように構成された第１の周期長取得ユニットと、
前記周期長取得モジュールにより設定された前記上りリンクハートビート動作の前記周期の長さが前記第１の周期長取得ユニットにより取得された前記第１の周期の長さ以上である場合、前記下りリンクハートビート動作の前記周期の長さとして、前記第１の周期の長さを設定するように構成された周期長取得ユニットと、
を有し、
前記周期長取得ユニットは、前記上りリンクハートビート動作の前記周期の長さが前記第１の周期の長さ未満である場合、前記下りリンクハートビート動作の前記周期の長さとして、前記上りリンクハートビート動作の前記周期の長さを設定するように更に構成され、
T1は第１のセルのBCCHにアクセスする周期の長さを示し、Tnは第nのセルのBCCHにアクセスする周期の長さを示し、nは1以上の整数である、請求項２３に記載のハートビート動作を同期させる装置。
【請求項２５】
前記同期モジュールは、第３の同期時間からの周期として、第２のハートビート動作の周期の長さを使用することにより、同期して前記ロケーションエリアアップデート及び前記ルーティングエリアアップデートを実行し、前記周辺セルリストの全てのセルの前記BCCHにアクセスするように更に構成され、
前記第１の同期時間が前記第２の同期時間より遅い場合、前記第３の同期時間は前記第１の同期時間であり、或いは、前記第２の同期時間が前記第１の同期時間より遅い場合、前記第３の同期時間は前記第２の同期時間であり、
前記第２のハートビートの前記周期の長さは、前記下りリンクハートビート動作の前記周期の長さのm倍であり、前記下りリンクハートビート動作の前記周期の長さのm倍は、前記上りリンクハートビート動作の前記周期の長さ未満であり、前記下りリンクハートビート動作の前記周期の長さのm+1倍は、前記上りリンクハートビート動作の前記周期の長さより大きく、mは1以上の整数である、請求項２４に記載のハートビート動作を同期させる装置。
【請求項２６】
前記周期リストが周辺セルリストの各セルのブロードキャスト制御チャネル（BCCH）にアクセスする周期の長さを有し、前記時間リストが前記周辺セルリストの各セルの前記BCCHにアクセスするアップデート時間を有する場合、
前記周期長取得モジュールは、前記予め設定された倍数Kと、前記リスト取得モジュールにより取得された前記周期リストにおける前記周辺セルリストの各セルの前記BCCHにアクセスする前記周期の長さとに従って、第１の周期の長さTDを取得するために、式TD=K*max(T1,...,Tn)を使用し、下りリンクハートビート動作の周期の長さとして前記第１の周期の長さTDを設定するように特に構成され、
前記同期時間取得モジュールは、前記リスト取得モジュールにより取得された前記時間リストにおける前記周辺セルリストの各セルの前記BCCHにアクセスする前記アップデート時間を問い合わせ、前記周辺セルリストに最後に追加されたセルのBCCHにアクセスするアップデート時間TKnを取得し、前記周辺セルリストに最後に追加された前記セルの前記BCCHにアクセスする前記アップデート時間TKnと前記ハートビート周期Tbasicと前記予め設定された倍数Kとに従って、前記ハートビート動作の第２の同期時間T2startを取得するために、式T2start=TKn+K*Tbasicを使用するように特に構成され、
前記同期モジュールは、前記同期時間取得モジュールにより取得された前記ハートビート動作の前記第２の同期時間からの周期として、前記周期長取得モジュールにより設定された前記下りリンクハートビート動作の前記周期の長さを使用することにより、前記周辺セルリストの全てのセルのBCCHにアクセスするように特に構成され、
Kは1以上の整数であり、T1は第１のセルのBCCHにアクセスする周期の長さを示し、Tnは第nのセルのBCCHにアクセスする周期の長さを示し、nは1以上の整数であり、Kは1以上の整数である、請求項１９に記載のハートビート動作を同期させる装置。
【請求項２７】
前記リスト取得モジュールにより取得された前記周期リストが周期的なロケーションエリアアップデートの周期の長さと、周期的なルーティングエリアアップデートの周期の長さとを更に有し、前記前記時間リストが前記周期的なロケーションエリアアップデートのアップデート時間と、前記周期的なルーティングエリアアップデートのアップデート時間とを更に有する場合、
前記周期長取得モジュールは、上りリンクハートビート動作の周期の長さとして、前記リスト取得モジュールにより取得された前記周期的なロケーションエリアアップデートの前記周期の長さ又は前記周期的なルーティングエリアアップデートの前記周期の長さを設定するように更に構成され、
前記同期時間取得モジュールは、前記時間リストにおける前記周期的なロケーションエリアアップデートの前記アップデート時間又は前記周期的なルーティングエリアアップデートの前記アップデート時間と、前記ハートビート周期と、前記予め設定された倍数とに従って、前記ハートビート動作の第１の同期時間を取得するように更に構成され、
前記同期モジュールは、前記ハートビート動作の前記第１の同期時間からの周期として、前記周期長取得モジュールにより設定された前記上りリンクハートビート動作の前記周期の長さを使用することにより、同期してロケーションエリアアップデート及びルーティングエリアアップデートを実行するように更に構成される、請求項２６に記載のハートビート動作を同期させる装置。
【請求項２８】
前記同期時間取得モジュールは、前記ルーティングエリアアップデートの前記アップデート時間が前記ロケーションエリアアップデートの前記アップデート時間より遅い場合、前記時間リストの前記周期的なルーティングエリアアップデートの前記アップデート時間TKRと前記ハートビート周期Tbasicと前記予め設定された倍数Kとに従って、前記ハートビート動作の前記第１の同期時間T1startを取得するために、式T1start=TKR+K*Tbasicを使用するように特に構成され、
前記同期時間取得モジュールは、前記ロケーションエリアアップデートの前記アップデート時間が前記ルーティングエリアアップデートの前記アップデート時間より遅い場合、前記時間リストの前記周期的なロケーションエリアアップデートの前記アップデート時間TKLと前記ハートビート周期Tbasicと前記予め設定された倍数Kとに従って、前記ハートビート動作の前記第１の同期時間T1startを取得するために、式T1start=TKL+K*Tbasicを使用するように更に特に構成され、
を有し、
Kは1以上の整数である、請求項２７に記載のハートビート動作を同期させる装置。
【請求項２９】
前記周期長取得モジュールは、
前記リスト取得モジュールにより取得された前記周期リストにおける前記周辺セルリストの各セルの前記BCCHにアクセスする前記周期の長さと前記予め設定された倍数Kとに従って、前記第１の周期の長さTDを取得するために、式TD=K*max(T1,...,Tn)を使用する第１の周期長取得ユニットと、
前記周期長取得モジュールにより設定された前記上りリンクハートビート動作の前記周期の長さが前記第１の周期長取得ユニットにより取得された前記第１の周期の長さ以上である場合、前記下りリンクハートビート動作の前記周期の長さとして、前記第１の周期の長さTDを設定するように構成された周期長取得ユニットと
を有する、請求項２８に記載のハートビート動作を同期させる装置。
【請求項３０】
前記周期長取得ユニットは、前記上りリンクハートビート動作の前記周期の長さが前記第１の周期の長さ未満である場合、前記下りリンクハートビート動作の前記周期の長さとして、前記上りリンクハートビート動作の前記周期の長さを設定するように更に構成される、請求項２９に記載のハートビート動作を同期させる装置。
【請求項３１】
前記同期モジュールは、前記上りリンクハートビート動作の前記周期の長さが前記下りリンクハートビート動作の前記周期の長さ以上である場合、第３の同期時間からの周期として、第２のハートビート動作の周期の長さを使用することにより、同期して前記ロケーションエリアアップデート及び前記ルーティングエリアアップデートを実行し、前記周辺セルリストの全てのセルの前記BCCHにアクセスするように更に構成され、
前記第２のハートビートの前記周期の長さは、前記下りリンクハートビート動作の前記周期の長さのm倍であり、前記下りリンクハートビート動作の前記周期の長さのm倍は、前記上りリンクハートビート動作の前記周期の長さ未満であり、前記下りリンクハートビート動作の前記周期の長さのm+1倍は、前記上りリンクハートビート動作の前記周期の長さより大きく、mは1以上の整数であり、
前記同期モジュールは、前記上りリンクハートビート動作の前記周期の長さが前記下りリンクハートビート動作の前記周期の長さ未満である場合、前記第３の同期時間からの周期として、前記上りリンクハートビート動作の前記周期の長さを使用することにより、同期して前記ロケーションエリアアップデート及び前記ルーティングエリアアップデートを実行し、前記周辺セルリストの全てのセルの前記BCCHにアクセスするように更に構成され、
前記第１の同期時間が前記第２の同期時間より遅い場合、前記第３の同期時間は前記第１の同期時間であり、或いは、前記第２の同期時間が前記第１の同期時間より遅い場合、前記第３の同期時間は前記第２の同期時間である、請求項２９又は３０に記載のハートビート動作を同期させる装置。
【請求項３２】
前記リスト取得モジュールにより取得された前記周期リストが周期的なロケーションエリアアップデートの周期の長さと、周辺セルリストの各セルのブロードキャスト制御チャネル（BCCH）にアクセスする周期の長さとを有し、前記時間リストが前記周期的なロケーションエリアアップデートのアップデート時間と、前記周辺セルリストの各セルの前記BCCHにアクセスするアップデート時間とを有する場合、
前記周期長取得モジュールは、上りリンクハートビート動作の周期の長さとして、前記周期的なロケーションエリアアップデートの前記周期の長さを設定し、前記予め設定された倍数Kと、前記周期リストにおける前記周辺セルリストの各セルの前記BCCHにアクセスする前記周期の長さとに従って、第１の周期の長さTDを取得するために、式TD=K*max(T1,...,Tn)を使用し、下りリンクハートビート動作の周期の長さとして、前記第１の周期の長さTDを設定するように特に構成され、
前記同期時間取得モジュールは、前記時間リストの前記周期的なロケーションエリアアップデートの前記アップデート時間TKLと前記ハートビート周期Tbasicと前記予め設定された倍数Kとに従って、第１の同期時間T1startを取得するために、式T1start=TKL+K*Tbasicを使用し、前記時間リストにおける前記周辺セルリストの各セルの前記BCCHにアクセスする前記アップデート時間を問い合わせ、前記周辺セルリストに最後に追加されたセルのBCCHにアクセスするアップデート時間TKnを取得し、前記周辺セルリストに最後に追加された前記セルの前記BCCHにアクセスする前記アップデート時間TKnと前記ハートビート周期Tbasicと前記予め設定された倍数Kとに従って、第２の同期時間T2startを取得するために、式T2start=TKn+K*Tbasicを使用するように特に構成され、
前記同期モジュールは、前記上りリンクハートビート動作の前記周期の長さが前記下りリンクハートビート動作の前記周期の長さ以上である場合、第３の同期時間からの周期として、第２のハートビート動作の周期の長さを使用することにより、同期してロケーションエリアアップデートを実行し、前記周辺セルリストの全てのセルのBCCHにアクセスするように特に構成され、前記第２のハートビート動作の前記周期の長さは、前記下りリンクハートビート動作の前記周期の長さのm倍であり、前記下りリンクハートビート動作の前記周期の長さのm倍は、前記上りリンクハートビート動作の前記周期の長さ未満であり、前記下りリンクハートビート動作の前記周期の長さのm+1倍は、前記上りリンクハートビート動作の前記周期の長さより大きく、mは1以上の整数であり、
前記同期モジュールは、前記上りリンクハートビート動作の前記周期の長さが前記下りリンクハートビート動作の前記周期の長さ未満である場合、前記第３の同期時間からの周期として、前記上りリンクハートビート動作の前記周期の長さを使用することにより、同期して前記ロケーションエリアアップデートを実行し、前記周辺セルリストの全てのセルの前記BCCHにアクセスするように更に特に構成され、
前記第１の同期時間が前記第２の同期時間より遅い場合、前記第３の同期時間は前記第１の同期時間であり、或いは、前記第２の同期時間が前記第１の同期時間より遅い場合、前記第３の同期時間は前記第２の同期時間であり、
前記ロケーションエリアアップデート及び前記周辺セルリストの全てのセルの前記BCCHへのアクセスのそれぞれは、ハートビート動作の種類である、請求項１９に記載のハートビート動作を同期させる装置。
【請求項３３】
前記リスト取得モジュールにより取得された前記周期リストが周期的なルーティングエリアアップデートの周期の長さと、周辺セルリストの各セルのブロードキャスト制御チャネル（BCCH）にアクセスする周期の長さとを有し、前記時間リストが前記周期的なルーティングエリアアップデートのアップデート時間と、前記周辺セルリストの各セルの前記BCCHにアクセスするアップデート時間とを有する場合、
前記周期長取得モジュールは、上りリンクハートビート動作の周期の長さとして、前記周期的なルーティングエリアアップデートの前記周期の長さを設定し、前記予め設定された倍数Kと、前記周期リストにおける前記周辺セルリストの各セルの前記BCCHにアクセスする前記周期の長さとに従って、第１の周期の長さTDを取得するために、式TD=K*max(T1,...,Tn)を使用し、下りリンクハートビート動作の周期の長さとして、前記第１の周期の長さTDを設定するように特に構成され、
前記同期時間取得モジュールは、前記時間リストの前記周期的なルーティングエリアアップデートの前記アップデート時間TKRと前記ハートビート周期Tbasicと前記予め設定された倍数Kとに従って、第１の同期時間T1startを取得するために、式T1start=TKR+K*Tbasicを使用し、前記時間リストにおける前記周辺セルリストの各セルの前記BCCHにアクセスする前記アップデート時間を問い合わせ、前記周辺セルリストに最後に追加されたセルのBCCHにアクセスするアップデート時間TKnを取得し、前記周辺セルリストに最後に追加された前記セルの前記BCCHにアクセスする前記アップデート時間TKnと前記ハートビート周期Tbasicと前記予め設定された倍数Kとに従って、第２の同期時間T2startを取得するために、式T2start=TKn+K*Tbasicを使用するように特に構成され、
前記同期モジュールは、前記上りリンクハートビート動作の前記周期の長さが前記下りリンクハートビート動作の前記周期の長さ以上である場合、第３の同期時間からの周期として、第２のハートビート動作の周期の長さを使用することにより、同期してルーティングエリアアップデートを実行し、前記周辺セルリストの全てのセルのBCCHにアクセスするように特に構成され、前記第２のハートビート動作の前記周期の長さは、前記下りリンクハートビート動作の前記周期の長さのm倍であり、前記下りリンクハートビート動作の前記周期の長さのm倍は、前記上りリンクハートビート動作の前記周期の長さ未満であり、前記下りリンクハートビート動作の前記周期の長さのm+1倍は、前記上りリンクハートビート動作の前記周期の長さより大きく、mは1以上の整数であり、
前記同期モジュールは、前記上りリンクハートビート動作の前記周期の長さが前記下りリンクハートビート動作の前記周期の長さ未満である場合、前記第３の同期時間からの周期として、前記上りリンクハートビート動作の前記周期の長さを使用することにより、同期して前記ルーティングエリアアップデートを実行し、前記周辺セルリストの全てのセルの前記BCCHにアクセスするように更に特に構成され、
前記第１の同期時間が前記第２の同期時間より遅い場合、前記第３の同期時間は前記第１の同期時間であり、或いは、前記第２の同期時間が前記第１の同期時間より遅い場合、前記第３の同期時間は前記第２の同期時間であり、
前記ルーティングエリアアップデート及び前記周辺セルリストの全てのセルの前記BCCHへのアクセスのそれぞれは、ハートビート動作の種類である、請求項１９に記載のハートビート動作を同期させる装置。
【請求項３４】
前記リスト取得モジュールにより取得された前記周期リストは、不連続受信（DRX）傍受周期の長さを更に有し、前記時間リストはDRX傍受時間を更に有し、
前記ハートビート動作を同期させる装置は、前記ハートビート周期として前記DRX傍受周期の長さを設定し、前記ハートビートの起動時間として前記DRX傍受時間を設定するように構成されたハートビート設定モジュールを更に有し、
前記ハートビート周期は、前記DRX傍受周期の長さに等しく、前記ハートビートの前記起動時間は、前記DRX傍受時間に等しく、前記ハートビート周期は、前記ハートビートの１つの起動時間と前記ハートビートの次の起動時間との間の時間の長さであり、前記同期時間は、第１の時間における前記ハートビートの前記起動時間に一致し、前記第１の時間の後に、前記同期時間は、前記ハートビート動作の前記周期の長さの間隔における前記ハートビート時間に一致する、請求項１９ないし３３のうちいずれか１項に記載のハートビート動作を同期させる装置。
【請求項３５】
前記リスト取得モジュールにより取得された前記周期リストは、周期的なロケーションエリアアップデートの周期の長さと、不連続受信（DRX）傍受周期の長さとを有し、前記時間リストは、前記周期的なロケーションエリアアップデートのアップデート時間と、DRX傍受時間とを有する場合、
前記周期長取得モジュールは、上りリンクハートビート動作の周期の長さとして、前記周期的なロケーションエリアアップデートの前記周期の長さを設定するように特に構成され、
前記同期時間取得モジュールは、前記時間リストの前記周期的なロケーションエリアアップデートの前記アップデート時間TKLと前記ハートビート周期Tbasicと前記予め設定された倍数Kとに従って、第１の同期時間T1startを取得するために、式T1start=TKL+K*Tbasicを使用するように特に構成され、
前記同期モジュールは、前記第１の同期時間からの周期として、前記上りリンクハートビート動作の前記周期の長さを使用することにより、ロケーションエリアアップデートを実行するように特に構成され、
前記ハートビート動作を同期させる装置は、前記ハートビート周期として前記DRX傍受周期の長さを設定し、前記ハートビートの起動時間として前記DRX傍受時間を設定するように構成されたハートビート設定モジュールを更に有し、
前記ロケーションエリアアップデート及び前記DRX傍受のそれぞれは、ハートビート動作の種類であり、
前記ハートビート周期は、前記DRX傍受周期の長さに等しく、前記ハートビートの前記起動時間は、前記DRX傍受時間に等しく、前記ハートビート周期は、前記ハートビートの１つの起動時間と前記ハートビートの次の起動時間との間の時間の長さであり、前記同期時間は、第１の時間における前記ハートビートの前記起動時間に一致し、前記第１の時間の後に、前記同期時間は、前記ハートビート動作の前記周期の長さの間隔における前記ハートビート時間に一致する、請求項１９に記載のハートビート動作を同期させる装置。
【請求項３６】
前記リスト取得モジュールにより取得された前記周期リストが周期的なルーティングエリアアップデートの周期の長さと、不連続受信（DRX）傍受周期の長さとを有し、前記時間リストが前記周期的なルーティングエリアアップデートのアップデート時間と、DRX傍受時間とを有する場合、
前記周期長取得モジュールは、上りリンクハートビート動作の周期の長さとして、前記周期的なルーティングエリアアップデートの前記周期の長さを設定するように特に構成され、
前記同期時間取得モジュールは、前記時間リストの前記周期的なルーティングエリアアップデートの前記アップデート時間TKRと前記ハートビート周期Tbasicと前記予め設定された倍数Kとに従って、第１の同期時間T1startを取得するために、式T1start=TKL+K*Tbasicを使用するように特に構成され、
前記同期モジュールは、前記第１の同期時間からの周期として、前記上りリンクハートビート動作の前記周期の長さを使用することにより、ロケーションエリアアップデートを実行するように特に構成され、
前記ハートビート動作を同期させる装置は、前記ハートビート周期として前記DRX傍受周期の長さを設定し、前記ハートビートの起動時間として前記DRX傍受時間を設定するように構成されたハートビート設定モジュールを更に有し、
前記ルーティングエリアアップデート及び前記DRX傍受のそれぞれは、ハートビート動作の種類であり、
前記ハートビート周期は、前記DRX傍受周期の長さに等しく、前記ハートビートの前記起動時間は、前記DRX傍受時間に等しく、前記ハートビート周期は、前記ハートビートの１つの起動時間と前記ハートビートの次の起動時間との間の時間の長さであり、前記同期時間は、第１の時間における前記ハートビートの前記起動時間に一致し、前記第１の時間の後に、前記同期時間は、前記ハートビート動作の前記周期の長さの間隔における前記ハートビート時間に一致する、請求項１９に記載のハートビート動作を同期させる装置。
【請求項３７】
命令に従ってプロセッサが請求項１ないし１８のうちいずれか１項に記載のハートビート動作を同期させる方法を実施する場合の命令を格納したメモリを有する装置。
【請求項３８】
請求項１ないし１８のうちいずれか１項に記載のハートビート動作を同期させる方法を実施するように構成されたプロセッサを有する装置。
【請求項３９】
コンピュータで実行した場合、請求項１ないし１８のうちいずれか１項に記載の方法を実行するプログラムコードを備えたコンピュータプログラム。
【手続補正２】
【補正対象書類名】明細書
【補正対象項目名】００５４
【補正方法】変更
【補正の内容】
【００５４】
更に、本発明においてハートビート動作を同期させる方法の第３の実施例によれば、図２に示す実施例に基づいて、ハートビート動作を同期させる装置の電力消費を更に低減する目的で、周期リストは、DRX傍受（受信）周期の長さを含み、時間リストはDRX傍受時間を含む。この方法は、ハートビート周期としてDRX傍受周期の長さを設定し、ハートビートの起動時間としてDRX傍受時間を設定するステップを更に含む。ハートビート周期は、DRX傍受周期の長さに等しく、ハートビートの起動時間は、DRX傍受時間に等しい。ハートビート周期は、ハートビートの起動時間とハートビートの次の起動時間との間の時間の長さである。
【手続補正３】
【補正対象書類名】明細書
【補正対象項目名】００６６
【補正方法】変更
【補正の内容】
【００６６】
更に好ましくは、ハートビート動作を同期させる装置の電力消費を更に低減させるために、この方法は、第３の同期時間からの周期として、第２のハートビート動作の周期の長さを使用することにより、同期してロケーションエリアアップデート及びルーティングエリアアップデートを実行し、周辺セルリストの全てのセルのBCCHにアクセスするステップを更に含んでもよい。ただし、第２のハートビート動作の周期の長さは、下りリンクハートビート動作の周期の長さのm倍であり、下りリンクハートビート動作の周期の長さのm倍は、上りリンクハートビート動作の周期の長さ未満であり、下りリンクハートビート動作の周期の長さのm+1倍は、上りリンクハートビート動作の周期の長さより大きく、mは1以上の整数である。
【手続補正４】
【補正対象書類名】明細書
【補正対象項目名】００７２
【補正方法】変更
【補正の内容】
【００７２】
ステップ303：時間リストにおける周辺セルリストの各セルのBCCHにアクセスするアップデート時間を問い合わせ、周辺セルリストに最後に追加されたセルのBCCHにアクセスするアップデート時間TKnを取得し、周辺セルリストに最後に追加されたセルのBCCHにアクセスするアップデート時間TKnとハートビート周期Tbasicと予め設定された倍数Kとに従って、ハートビート動作の第２の同期時間T2startを取得するために、式(3)を使用する。
T2start=TKn+K*Tbasic      (3)
ただし、Kは1以上の整数である。
【手続補正５】
【補正対象書類名】明細書
【補正対象項目名】００７４
【補正方法】変更
【補正の内容】
【００７４】
ステップ304：ハートビート動作の第２の同期時間からの周期として、下りリンクハートビート動作の周期の長さを使用することにより、周辺セルリストの全てのセルのBCCHにアクセスする。
【手続補正６】
【補正対象書類名】明細書
【補正対象項目名】００７８
【補正方法】変更
【補正の内容】
【００７８】
更に、本発明においてハートビート動作を同期させる方法の第７の実施例によれば、第５の実施例又は第６の実施例に基づいて、ハートビート動作を同期させる装置の電力消費を更に低減する目的で、周期リストは、周期的なロケーションエリアアップデートの周期の長さと、周期的なルーティングエリアアップデートの周期の長さとを含み、時間リストは、周期的なロケーションエリアアップデートのアップデート時間と、周期的なルーティングエリアアップデートのアップデート時間とを含む。この方法は、上りリンクハートビート動作の周期の長さとして、周期的なロケーションエリアアップデートの周期の長さ又は周期的なルーティングエリアアップデートの周期の長さを設定するステップと、時間リストにおける周期的なロケーションエリアアップデートのアップデート時間及び周期的なルーティングエリアアップデートのアップデート時間と、ハートビート周期と、予め設定された倍数とに従って、ハートビート動作の第１の同期時間を取得するステップと、ハートビート動作の第１の同期時間からの周期として、上りリンクハートビート動作の周期の長さを使用することにより、同期してロケーションエリアアップデート及びルーティングエリアアップデートを実行するステップとを更に含む。
【手続補正７】
【補正対象書類名】明細書
【補正対象項目名】００９４
【補正方法】変更
【補正の内容】
【００９４】
ステップ405：時間リストにおける周辺セルリストの各セルのBCCHにアクセスするアップデート時間を問い合わせ、周辺セルリストに最後に追加されたセルのBCCHにアクセスするアップデート時間TKnを取得し、周辺セルリストに最後に追加されたセルのBCCHにアクセスするアップデート時間TKnとハートビート周期Tbasicと予め設定された倍数Kとに従って、第２の同期時間T2startを取得するために、式(3)を使用し、ステップ406又は407を実行する。
T2start=TKn+K*Tbasic      (3)
ただし、Kは1以上の整数である。
【手続補正８】
【補正対象書類名】明細書
【補正対象項目名】０１０７
【補正方法】変更
【補正の内容】
【０１０７】
ステップ505：時間リストにおける周辺セルリストの各セルのBCCHにアクセスするアップデート時間を問い合わせ、周辺セルリストに最後に追加されたセルのBCCHにアクセスするアップデート時間TKnを取得し、周辺セルリストに最後に追加されたセルのBCCHにアクセスするアップデート時間TKnとハートビート周期Tbasicと予め設定された倍数Kとに従って、第２の同期時間T2startを取得するために、式(3)を使用し、ステップ506又は507を実行する。
T2start=TKn+K*Tbasic      (3)
ただし、Kは1以上の整数である。
【手続補正９】
【補正対象書類名】明細書
【補正対象項目名】０１４３
【補正方法】変更
【補正の内容】
【０１４３】
上りリンクハートビート動作の周期の長さ又は下りリンクハートビート動作の周期の長さは、DRX傍受周期の長さであり、ハートビートの起動時間は、DRX傍受時間である。
【手続補正１０】
【補正対象書類名】明細書
【補正対象項目名】０１４６
【補正方法】変更
【補正の内容】
【０１４６】
この実施例に従って、図９ａは、従来技術における移動電話により実行されるハートビート動作の効果を示しており、図９ｂは、本発明の実施例に従って移動電話により実行されるハートビート動作の効果を示している。図９ａ及び図９ｂに示すように、横軸は時間軸を表し、縦軸は電力軸（例えば、電流の強さ）を表す。図９ａによれば、TKbasicはハートビート動作を同期させる装置のハートビート起動時間であり、Tbasicはハートビート動作を同期させる装置のハートビート周期（すなわち、１つのTKbasicから次のTKbasicまでの時間の長さ）である。更に、TKLにおいて、ロケーションエリアアップデートを実施するために、リンクを確立してリンクを切断する必要があり、TKRにおいて、ルーティングエリアアップデートを実施するために、再びリンクを確立してリンクを切断する必要がある。TK1において、これはTKbasicではないため、ハートビート動作を同期させる装置を起動する必要があり、第１のセルのBCCHにアクセスするために、もう一度リンクを確立してリンクを切断する必要がある。TK2からTKnまでの如何なる時間において、実施原理はTK1の実施原理と同じであるため、ここでは再び説明しない点に留意すべきである。図９ｂによれば、TKbasicはハートビート動作を同期させる装置のハートビート起動時間であり、Tbasicはハートビート動作を同期させる装置のハートビート周期（すなわち、１つのTKbasicから次のTKbasicまでの時間の長さ）である。第３の同期時間において、ロケーションエリアアップデートとルーティングエリアアップデートと回線交換ページングとを実施し、周辺セルリストの各セルのBCCHにアクセスするために、リンクを確立してリンクを切断しさえすればよい。従って、３つの種類のハートビート動作が効果的に同期される。更に、図９ｂに示すように、左から右に、第２のハートビートの起動時間（すなわち、前述の実施例に記載の第１の時間）において、第３の同期時間（すなわち、前述の実施例に記載の同期時間）は、第２のハートビート動作の起動時間に一致し、第３の同期時間は、第２のハートビートの起動時間からの第２のハートビート動作の周期の長さ（すなわち、前述の実施例に記載のハートビート動作の周期の長さ）の間隔においてハートビートの起動時間に一致する点に留意すべきである。
【手続補正１１】
【補正対象書類名】明細書
【補正対象項目名】０１５０
【補正方法】変更
【補正の内容】
【０１５０】
更に、本発明においてハートビート動作を同期させる装置の第２の実施例によれば、図１０に示す実施例に基づいて、リスト取得モジュール11は、周期リスト及び時間リストを取得するように構成される。周期リストは、周期的なロケーションエリアアップデートの周期の長さと、周期的なルーティングエリアアップデートの周期の長さとを含み、時間リストは、周期的なロケーションエリアアップデートのアップデート時間と、周期的なルーティングエリアアップデートのアップデート時間とを含む。上りリンクハートビート動作の周期長設定モジュール及び周期長取得モジュール12は、上りリンクハートビート動作の周期の長さとして、リスト取得モジュール11により取得された周期的なロケーションエリアアップデートの周期の長さ又は周期的なルーティングエリアアップデートの周期の長さを設定するように構成される。同期時間取得モジュール13は、リスト取得モジュール11により取得された周期リストにおける周期的なロケーションエリアアップデートの周期の長さ及びルーティングエリアアップデートの周期の長さ並びに時間リストと、ハートビート周期と、予め設定された倍数とに従って、ハートビート動作の第１の同期時間を取得するように構成される。同期モジュール14は、同期時間取得モジュール13により取得されたハートビート動作の第１の同期時間からの周期として、周期長取得モジュール12により設定された上りリンクハートビート動作の周期の長さを使用することにより、同期してロケーションエリアアップデート及びルーティングエリアアップデートを実行するように構成される。
この実施例によれば、ハートビート動作を同期させる装置は、図２に示す実施例の方法の技術的対策を実施する。実施原理は同様であるため、ここでは再び説明しない。
【手続補正１２】
【補正対象書類名】明細書
【補正対象項目名】０１５２
【補正方法】変更
【補正の内容】
【０１５２】
更に、本発明においてハートビート動作を同期させる装置の第３の実施例によれば、第２の実施例に基づいて、周期リストは、DRX傍受（受信）周期の長さを含み、時間リストはDRX傍受時間を含む。ハートビート動作を同期させる装置は、ハートビート周期としてリスト取得モジュールにより取得されたDRX傍受周期の長さを設定し、ハートビートの起動時間としてリスト取得モジュールにより取得されたDRX傍受時間を設定するように構成されたハートビート設定モジュールを含む。
【手続補正１３】
【補正対象書類名】明細書
【補正対象項目名】０１６４
【補正方法】変更
【補正の内容】
【０１６４】
更に、本発明においてハートビート動作を同期させる装置の第７の実施例によれば、第５の実施例又は第６の実施例に基づいて、周期リストは、周期的なロケーションエリアアップデートの周期の長さと、周期的なルーティングエリアアップデートの周期の長さとを含み、時間リストは、周期的なロケーションエリアアップデートのアップデート時間と、周期的なルーティングエリアアップデートのアップデート時間とを含む。周期長取得モジュール12は、上りリンクハートビート動作の周期の長さとして、リスト取得モジュール11により取得された周期的なロケーションエリアアップデートの周期の長さ又は周期的なルーティングエリアアップデートの周期の長さを設定するように構成される。
【手続補正１４】
【補正対象書類名】明細書
【補正対象項目名】０１６７
【補正方法】変更
【補正の内容】
【０１６７】
上りリンクハートビート動作の周期の長さは、DRX傍受周期の長さである。
【手続補正１５】
【補正対象書類名】明細書
【補正対象項目名】０１６９
【補正方法】変更
【補正の内容】
【０１６９】
更に好ましくは、周期長取得モジュール12は、第１の周期長取得ユニットと周期長取得ユニットとを含む。特に、第１の周期長取得ユニットは、リスト取得モジュール11により取得された周期リストにおける周辺セルリストの各セルのBCCHにアクセスする周期の長さと予め設定された倍数Kとに従って、第１の周期の長さTDを取得するために、式TD=K*max(T1,...,Tn)を使用するように構成される。周期長取得ユニットは、周期長取得モジュールにより取得された上りリンクハートビート動作の周期の長さが第１の周期長取得ユニットにより取得された第１の周期の長さ以上である場合、下りリンクハートビート動作の周期の長さとして、第１の周期の長さTDを設定するように構成される。
【国際調査報告】
2013530647.tif 000016
2013530647.tif 000017
2013530647.tif 000018